(57)【要約】【課題】閲覧者の意図を撮影者が操作する撮影装置を介して該撮影者に伝達することを可能にする。【解決手段】本発明の携帯電話１は、動画再生装置としての携帯電話３にて動画を閲覧する閲覧者Ｒが上記動画の中で着目する対象物を示す対象物指定情報を携帯電話３から取得する対象物指定情報取得部３０と、上記動画において上記対象物指定情報が示す対象物を強調して表示部１８に表示する操作指示出力部３２とを備えている。【選択図】図１
2008271149.tif 000002
【特許請求の範囲】
【請求項１】
撮影者が表示部に表示された動画を確認して撮影部の位置を手動で調節することにより動画を撮影し、通信網を介して該動画を動画再生装置に送信する動画撮影装置において、
上記動画再生装置にて上記動画を閲覧する閲覧者が上記動画の中で着目する対象物を示す対象物指定情報を上記動画再生装置から取得する対象物指定情報取得手段と、
上記動画において上記対象物指定情報取得手段が取得した対象物指定情報が示す対象物を強調して上記表示部に表示する操作指示出力手段とを備えていることを特徴とする動画撮影装置。
【請求項２】
上記対象物指定情報は、上記動画における上記対象物を含む領域である対象物領域を特定する座標情報を含み、
上記操作指示出力手段は、上記座標情報によって特定された対象物領域を強調して上記表示部に表示することを特徴とする請求項１に記載の動画撮影装置。
【請求項３】
上記対象物指定情報は、上記動画の１フレームに対し、上記対象物を含む領域である対象物領域を示す情報を追加した静止画であり、
上記操作指示出力手段は、上記静止画に含まれる対象物領域を示す情報に基づいて特定された対象物領域を強調して上記表示部に表示することを特徴とする請求項１に記載の動画撮影装置。
【請求項４】
上記対象物指定情報は、上記動画における上記対象物を含む領域をトリミングしたトリミング画像であり、
上記操作指示出力手段は、上記動画において上記トリミング画像と一致する領域を強調して上記表示部に表示することを特徴とする請求項１に記載の動画撮影装置。
【請求項５】
上記動画における、上記対象物指定情報により特定された対象物の位置を追跡する対象物追跡手段を備え、
上記操作指示出力手段は、上記対象物追跡手段が追跡する対象物の移動に合わせて強調表示を行うことを特徴とする請求項１に記載の動画撮影装置。
【請求項６】
上記対象物追跡手段が追跡する対象物を、上記動画の所定の位置に捕捉するために上記撮影部を動かす方向を決定する方向指示手段を備え、
上記操作指示出力手段は、方向指示手段が決定した方向を示す情報を上記表示部に表示することを特徴とする請求項５に記載の動画撮影装置。
【請求項７】
上記対象物追跡手段が追跡する対象物が上記動画の所定の位置に捕捉されたことを検知する検知手段と、
上記検知手段が上記対象物が上記所定の位置に捕捉されたことを検知したことを上記動画再生装置に通知する通知手段とを備えていることを特徴とする請求項６に記載の動画撮影装置。
【請求項８】
上記対象物指定情報は、上記座標情報に加えて上記動画のうちの１フレームを特定するためのタイムコードを含み、
上記動画のうち、上記対象物指定情報取得手段が取得したタイムコードにより特定されるフレームと最新のフレームとを比較して、両フレーム間の変化の度合いを算出する変化量算出手段を備え、
上記対象物指定情報取得手段は、上記変化量算出手段により算出された変化の度合いが所定の値よりも大きい場合に、上記最新のフレームにおける対象物の座標情報の再送を上記動画再生装置に要求することを特徴とする請求項２に記載の動画撮影装置。
【請求項９】
撮影者が表示部に表示された動画を確認して撮影部の位置を手動で調節することにより動画を撮影し、通信網を介して該動画を動画再生装置に送信する動画撮影装置において、
上記動画再生装置にて上記動画を閲覧する閲覧者が所望する、上記撮影部を動かす方向を示す方向制御情報を上記動画再生装置から取得する方向制御情報取得手段と、
上記方向制御情報取得手段が取得した方向制御情報に基づいて、上記撮影部を動かすべき方向を特定する方向特定手段と、
上記動画において上記方向特定手段が特定した方向に上記撮影部を動かすように撮影者に指示する操作指示情報を上記表示部に表示する操作指示出力手段とを備えていることを特徴とする動画撮影装置。
【請求項１０】
撮影者が表示部に表示された動画を確認して撮影部の位置を手動で調節することにより動画を撮影する動画撮影装置から、通信網を介して該動画を受信し再生する動画再生装置において、
上記動画を閲覧する閲覧者によって操作部を介して入力された、該閲覧者が上記動画の中で着目する対象物の指定を受け付ける対象物受付手段と、
上記対象物受付手段が受け付けた対象物を特定する対象物指定情報を生成する対象物指定情報生成手段と、
上記対象物指定情報生成手段が生成した対象物指定情報を上記動画撮影装置に送信する送信手段とを備えていることを特徴とする動画再生装置。
【請求項１１】
上記対象物指定情報生成手段は、上記閲覧者によって操作部を介して入力された、上記動画における上記対象物を含む領域の指定にしたがって、当該領域を特定する座標情報を生成することを特徴とする請求項１０に記載の動画再生装置。
【請求項１２】
上記対象物指定情報生成手段が生成した対象物指定情報によって特定された対象物が上記動画の所定の位置に捕捉されたことを検知する検知手段と、
上記検知手段が上記対象物が上記所定の位置に捕捉されたことを検知したときに、所定のメッセージを自装置の表示部に表示する通知手段とを備えていることを特徴とする請求項１０に記載の動画再生装置。
【請求項１３】
撮影者が表示部に表示された動画を確認して撮影部の位置を手動で調節することにより動画を撮影する動画撮影装置から、通信網を介して該動画を受信し再生する動画再生装置において、
上記動画を閲覧する閲覧者によって操作部を介して入力された、該閲覧者が所望する上記撮影部を動かす方向の指定を受け付ける方向指示受付手段と、
上記方向指示受付手段が受け付けた方向を特定する方向制御情報を生成する方向制御情報生成手段と、
上記方向制御情報生成手段が生成した方向制御情報を上記動画撮影装置に送信する送信手段とを備えていることを特徴とする動画再生装置。
【請求項１４】
請求項１に記載の動画撮影装置と、請求項１０に記載の動画再生装置とを含むことを特徴とする動画配信システム。
【請求項１５】
請求項９に記載の動画撮影装置と、請求項１３に記載の動画再生装置とを含むことを特徴とする動画配信システム。
【請求項１６】
撮影者が表示部に表示された動画を確認して撮影部の位置を手動で調節することにより動画を撮影し、通信網を介して該動画を動画再生装置に送信する動画撮影装置の制御方法であって、
上記動画再生装置にて上記動画を閲覧する閲覧者が上記動画の中で着目する対象物を示す対象物指定情報を上記動画再生装置から取得する取得ステップと、
上記動画において上記取得ステップにて取得された対象物指定情報が示す対象物を強調して上記表示部に表示する表示ステップとを含むことを特徴とする動画撮影装置の制御方法。
【請求項１７】
撮影者が表示部に表示された動画を確認して撮影部の位置を手動で調節することにより動画を撮影し、通信網を介して該動画を動画再生装置に送信する動画撮影装置の制御方法であって、
上記動画再生装置にて上記動画を閲覧する閲覧者が所望する、上記撮影部を動かす方向を示す方向制御情報を上記動画再生装置から取得する取得ステップと、
上記取得ステップにて取得した方向制御情報に基づいて、上記撮影部を動かすべき方向を特定する方向特定ステップと、
上記動画において上記方向特定ステップにて特定された方向に上記撮影部を動かすように撮影者に指示する操作指示情報を上記表示部に表示する表示ステップとを含むことを特徴とする動画撮影装置の制御方法。
【請求項１８】
撮影者が表示部に表示された動画を確認して撮影部の位置を手動で調節することにより動画を撮影する動画撮影装置から、通信網を介して該動画を受信し再生する動画再生装置の制御方法であって、
上記動画を閲覧する閲覧者によって操作部を介して入力された、該閲覧者が上記動画の中で着目する対象物の指定を受け付ける受付ステップと、
上記受付ステップにて受け付けられた対象物を特定する対象物指定情報を生成する生成ステップと、
上記生成ステップにて生成された対象物指定情報を上記動画撮影装置に送信する送信ステップとを含むことを特徴とする動画再生装置の制御方法。
【請求項１９】
撮影者が表示部に表示された動画を確認して撮影部の位置を手動で調節することにより動画を撮影する動画撮影装置から、通信網を介して該動画を受信し再生する動画再生装置の制御方法であって、
上記動画を閲覧する閲覧者によって操作部を介して入力された、該閲覧者が所望する上記撮影部を動かす方向の指定を受け付ける受付ステップと、
上記受付ステップにて受け付けられた方向を特定する方向制御情報を生成する生成ステップと、
上記生成ステップにて生成された方向制御情報を上記動画撮影装置に送信する送信ステップとを含むことを特徴とする動画再生装置の制御方法。
【請求項２０】
コンピュータを、請求項１から９のいずれか１項に記載の動画撮影装置、または、請求項１０から１３のいずれか１項に記載の動画再生装置の各手段として機能させるための制御プログラム。
【請求項２１】
請求項２０に記載の制御プログラムを記録したコンピュータ読み取り可能な記録媒体。
【発明の詳細な説明】
【技術分野】
【０００１】
本発明は、撮影装置で撮影した動画を、通信網を介して動画再生装置に配信する動画配信システムに関するものである。
【背景技術】
【０００２】
従来、情報通信技術の発展に伴って、双方向通信が可能なシステムを用いたさまざまな情報提供サービスが普及している。これにより、情報提供者が通信端末装置（撮影装置）を用いてアップロードした種々の情報を、閲覧者はインターネットを介して自身の通信端末装置（動画再生装置）から簡単に入手できる（例えば、特許文献１、２参照）。
【０００３】
さらに、近年、高速・大容量のデータ通信が可能となり、動画などの大容量のデジタルコンテンツを配信する動画配信システムを実現できるようになった。そして、動画撮影装置が撮影中の動画（ライブ映像）をストリーミング配信し、そのライブ映像を閲覧者の動画再生装置でリアルタイムに再生できる動画配信システムが普及してきている（例えば、特許文献３〜５参照）。
【０００４】
また、携帯電話などように携帯可能な通信端末装置の高性能小型化・多機能化が進んでおり、これらの通信端末装置を、ライブ映像を撮影し配信する動画撮影装置や、それを受信し再生する動画再生装置として利用することが可能になってきた。例えば、特許文献１に記載の情報配信システムでは、情報提供（撮影）者側および閲覧者側の通信端末装置に携帯電話を採用することが記載されている。
【特許文献１】特開２００３−０３６３６５（２００３年２月７日公開）
【特許文献２】特開２００３−２０３０３５（２００３年７月１８日公開）
【特許文献３】特開２００５−０１２３９３（２００５年１月１３日公開）
【特許文献４】特開２００５−１８４５３６（２００５年７月７日公開）
【特許文献５】特開２００６−３１４０７３（２００６年１１月１６日公開）
【発明の開示】
【発明が解決しようとする課題】
【０００５】
しかしながら、上記従来の構成では、以下の問題が生じる。
【０００６】
従来、ライブ映像を配信する画像配信システムにおいて、ライブ映像を撮影する撮影装置の制御を、インターネットや携帯電話網などの通信網を介して、閲覧者の通信端末装置から行うことが可能である。具体的には、閲覧者に指定された駆動量、駆動方向に応じて撮影装置を回動させることなどにより、閲覧者は、自身の意図するライブ映像を取得することができる。
【０００７】
しかし、上記技術は、撮影装置が固定されているシステムにのみ適用可能であって、上述したとおり、撮影者の撮影装置が携帯電話などの携帯可能な通信端末装置である場合には適用できないという問題がある。具体的には、撮影者が携帯電話に内蔵された撮影装置を手に持って操作するので、撮影装置が固定されていない。そのため、閲覧者は上記撮影装置を遠隔操作で直接制御することができず、閲覧者の意図を撮影者が使用する撮影装置に伝達することができないという問題を生じる。
【０００８】
またこのような問題は、動画配信システムに携帯電話を採用する場合に限らず、配信するライブ映像を撮影するための撮影装置が手動で操作されるような動画配信システムにおいて、同様に生じるものである。
【０００９】
本発明は、上記の問題点に鑑みてなされたものであり、その目的は、閲覧者の意図を撮影者が操作する撮影装置を介して該撮影者に伝達することが可能な動画撮影装置、動画再生装置、動画配信システム、制御方法、制御プログラム、および、記録媒体を実現することにある。
【課題を解決するための手段】
【００１０】
本発明にかかる動画撮影装置は、上記課題を解決するために、撮影者が表示部に表示された動画を確認して撮影部の位置を手動で調節することにより動画を撮影し、通信網を介して該動画を動画再生装置に送信する動画撮影装置において、上記動画再生装置にて上記動画を閲覧する閲覧者が上記動画の中で着目する対象物を示す対象物指定情報を上記動画再生装置から取得する対象物指定情報取得手段と、上記動画において上記対象物指定情報取得手段が取得した対象物指定情報が示す対象物を強調して上記表示部に表示する操作指示出力手段とを備えていることを特徴としている。
【００１１】
上記構成によれば、まず、対象物指定情報取得手段は、上記動画再生装置から、対象物指定情報を取得する。対象物指定情報とは、上記動画再生装置にて上記動画を閲覧する閲覧者が上記動画の中で着目する対象物を示す情報のことである。
【００１２】
続いて、操作指示出力手段は、上記動画を表示する際に、取得された上記対象物指定情報が示す対象物を強調して、上記表示部に表示する。
【００１３】
これにより、撮影者は、上記撮影部の位置を手動で調節して撮影を行う際、撮影中の動画を、該動画が含む上記対象物が強調表示された状態で確認することが可能となる。
【００１４】
したがって、撮影者は、動画の撮影中に、該動画の閲覧者が動画のどの部分に着目しているのかを知ることが可能となる。
【００１５】
結果として、閲覧者の意図を撮影者が操作する撮影装置を介して該撮影者に伝達することが可能となるという効果を奏する。
【００１６】
撮影者が上述のように閲覧者が着目している対象物を知ることができると、例えば、該対象物を基準にして以下のように撮影部を操作して撮影を行うことができる。
【００１７】
撮影者は、閲覧者が着目する対象物が画面の所定の位置（例えば、画面中央）にくるように撮影部の位置を手動で調整することができる。つまり、対象物を画面中央に捕捉するように撮影部の向きを変更することができる。あるいは、撮影者は、上記対象物が拡大されるよう撮影部のズーム率を変更することができる。さらに、撮影者は、上記対象物がフレームアウトするように撮影部の向きを変更することができる。
【００１８】
上記対象物指定情報は、上記動画における上記対象物を含む領域である対象物領域を特定する座標情報を含み、上記操作指示出力手段は、上記座標情報によって特定された対象物領域を強調して上記表示部に表示してもよい。
【００１９】
これにより、上記操作指示出力手段がどの対象物を強調表示すればよいのかが、動画における座標情報によって特定される。
【００２０】
座標情報とは、例えば、矩形の始点および終点のＸＹ座標、または、円形の中心のＸＹ座標および半径などの情報を含む。
【００２１】
あるいは、上記対象物指定情報は、上記動画の１フレームに対し、上記対象物を含む領域である対象物領域を示す情報を追加した静止画であり、上記操作指示出力手段は、上記静止画に含まれる対象物領域を示す情報に基づいて特定された対象物領域を強調して上記表示部に表示してもよい。
【００２２】
上記構成によれば、上記操作指示出力手段がどの対象物を強調表示すればよいのかが、上記静止画に含まれる対象物領域を示す情報によって特定される。
【００２３】
対象物領域を示す情報を静止画に追加する方法の具体例としては、例えば、上記静止画に以下のような画像処理を施すことが挙げられる。すなわち、対象物領域を囲う枠を重畳したり、対象物領域の色調を変化させたり、対象物領域の色を反転させたり、対象物を矢印で指し示したりすることなどである。
【００２４】
あるいは、上記対象物指定情報は、上記動画における上記対象物を含む領域をトリミングしたトリミング画像であり、上記操作指示出力手段は、上記動画において上記トリミング画像と一致する領域を強調して上記表示部に表示してもよい。
【００２５】
上記構成によれば、上記操作指示出力手段がどの対象物を強調表示すればよいのかが、上記トリミング画像によって特定される。より詳細には、上記表示部に表示されている撮影中の動画の中で、上記トリミング画像と一致する領域が特定される。
【００２６】
上記動画撮影装置は、さらに、上記動画における、上記対象物指定情報により特定された対象物の位置を追跡する対象物追跡手段を備え、上記操作指示出力手段は、上記対象物追跡手段が追跡する対象物の移動に合わせて強調表示を行うことが好ましい。
【００２７】
上記構成によれば、上記操作指示出力手段が、対象物指定情報によって特定された対象物を強調表示したのちに、撮影者が撮影部の位置を動かすことによって、表示部に表示されている動画中の対象物が移動しても、対象物の移動に追尾して強調表示が行われる。
【００２８】
これにより、撮影部を動かしても、撮影者は、閲覧者が着目している対象物がどこに写っているのかを見失うことがなくなる。
【００２９】
また、上記対象物の画面の所定位置（例えば、中央）に捕捉したいと考える場合に、上記強調表示部分が中央にくるように撮影部を動かしつつ撮影を行うことが可能となる。
【００３０】
上記動画撮影装置は、さらに、上記対象物追跡手段が追跡する対象物を、上記動画の所定の位置に捕捉するために上記撮影部を動かす方向を決定する方向指示手段を備え、上記操作指示出力手段は、方向指示手段が決定した方向を示す情報を上記表示部に表示することが好ましい。
【００３１】
上記構成によれば、方向指示手段は、現在撮影中の動画において写っている対象物の位置を把握して、該対象物を所定の目的の位置（例えば、中央）に捕捉するためには、撮影部をどの方向に動かす必要があるのかを求め決定する。そして、操作指示出力手段は、方向指示手段が決定した方向を示す情報（例えば、矢印など）を上記表示部に表示する。
【００３２】
これにより、閲覧者により指定された対象物を所定の位置（例えば、中央）に捕捉するために、操作部をどの方向に動かせばよいかを撮影者が知ることができる。したがって、閲覧者が意図する動画をより容易に撮影することが可能となる。
【００３３】
上記動画撮影装置は、さらに、上記対象物追跡手段が追跡する対象物が上記動画の所定の位置に捕捉されたことを検知する検知手段と、上記検知手段が上記対象物が上記所定の位置に捕捉されたことを検知したことを上記動画再生装置に通知する通知手段とを備えていることが好ましい。
【００３４】
上記構成によれば、撮影者が撮影部を動かして撮影を続行したのちに、閲覧者が指定する対象物が所定の位置（例えば、中央）に捕捉されたときに、検知手段がそのことを検知する。そして、上記検知手段が上記内容を検知したとき、通知手段は、上記対象物が、画面中央に捕捉されたことを検知手段が検知した旨を、閲覧者の動画再生装置に通知する。
【００３５】
これにより、閲覧者の動画再生装置側では、指定した対象物が所定の位置に捕捉されたことを知ることが可能となる。したがって、閲覧者は、意図どおりの動画が得られたことを認識することができる。
【００３６】
ここで、さらに、閲覧者は、自身が指定したとおりの動画が得られたことによって、該動画が、ライブ映像であると認識することができる。
【００３７】
上記対象物指定情報は、上記座標情報に加えて上記動画のうちの１フレームを特定するためのタイムコードを含み、上記動画撮影装置は、さらに、上記動画のうち、上記対象物指定情報取得手段が取得したタイムコードにより特定されるフレームと最新のフレームとを比較して、両フレーム間の変化の度合いを算出する変化量算出手段を備え、上記対象物指定情報取得手段は、上記変化量算出手段により算出された変化の度合いが所定の値よりも大きい場合に、上記最新のフレームにおける対象物の座標情報の再送を上記動画再生装置に要求してもよい。
【００３８】
上記構成によれば、対象物指定情報取得手段は、上記座標情報と、動画を構成する個々のフレームを特定するためのタイムコードとを対象物指定情報として取得する。そして、変化量算出手段は、自装置が撮影している動画において、上記タイムコードによって特定されるフレームと最新のフレームとを比較して、両フレーム間の変化の度合いを算出する。両フレーム間の変化の度合いが所定の値よりも大きい場合には、上記対象物指定情報取得手段は、上記最新のフレームにおける対象物の座標情報の再送を上記動画再生装置に要求する。
【００３９】
両フレーム間の変化の度合いが大きいということは、閲覧者が対象物領域を指定した時点の動画と、動画撮影装置が上記対象物領域から閲覧者が着目する対象物を特定する時点の動画とでは、内容が大きく異なっていることを示す。したがって、このような場合には、閲覧者側で、座標情報で対象物領域が指定されたとしても、動画撮影装置で特定されるときには、上記座標情報が正しく対象物を捉えていない虞がある。
【００４０】
そこで、両フレーム間の変化の度合いが大きい場合には、最新のフレームにて対象物領域を指定するように、動画撮影装置から再度要求することで、最新のフレームにて正しい座標情報を含む対象物指定情報を動画再生装置から取得することができる。
【００４１】
以上のことからより正確に対象物を特定し、閲覧者の意図を正しく撮影者に伝達することが可能となる。
【００４２】
なお、上記所定の値としては、対象物を捉えるための座標情報の信頼性が失われる程度にフレームの内容が変化したときの変化量の最低値を予め設定しておけばよい。
【００４３】
本発明にかかる動画再生装置は、上記課題を解決するために、撮影者が表示部に表示された動画を確認して撮影部の位置を手動で調節することにより動画を撮影する動画撮影装置から、通信網を介して該動画を受信し再生する動画再生装置において、上記動画を閲覧する閲覧者によって操作部を介して入力された、該閲覧者が上記動画の中で着目する対象物の指定を受け付ける対象物受付手段と、上記対象物受付手段が受け付けた対象物を特定する対象物指定情報を生成する対象物指定情報生成手段と、上記対象物指定情報生成手段が生成した対象物指定情報を上記動画撮影装置に送信する送信手段とを備えていることを特徴としている。
【００４４】
上記構成によれば、対象物受付手段は、上記動画を閲覧する閲覧者から、該閲覧者が上記動画の中で着目する対象物の指定を受け付ける。続いて、対象物指定情報生成手段は、受け付けた対象物を特定するための対象物指定情報を生成する。最後に、送信手段が、生成された対象物指定情報を、上述した動画撮影装置に送信する。
【００４５】
これにより、閲覧者の意図を撮影者が操作する動画撮影装置を介して該撮影者に伝達することが可能となる。
【００４６】
上記対象物指定情報生成手段は、上記閲覧者によって操作部を介して入力された、上記動画における上記対象物を含む領域の指定にしたがって、当該領域を特定する座標情報を生成してもよい。
【００４７】
これにより、動画撮影装置において、どの対象物を撮影者に伝達すればよいのかが、動画における座標情報によって特定される。
【００４８】
上記動画再生装置は、さらに、上記対象物指定情報生成手段が生成した対象物指定情報によって特定された対象物が上記動画の所定の位置に捕捉されたことを検知する検知手段と、上記検知手段が上記対象物が上記所定の位置に捕捉されたことを検知したときに、所定のメッセージを自装置の表示部に表示する通知手段とを備えていることが好ましい。
【００４９】
これにより、閲覧者は、指定した対象物が所定の位置に捕捉されたことを知ることが可能となる。したがって、閲覧者は、意図どおりの動画が得られたことを認識することができる。
【００５０】
上記所定のメッセージの内容は特に限定されないが、例えば、ライブ映像である旨のメッセージを表示することが挙げられる。これにより、閲覧者は、自身が指定したとおりの動画が得られたことによって、該動画が、ライブ映像であると認識することができる。
【００５１】
上述の動画撮影装置が撮影した動画を、上述の動画再生装置に送信する動画配信システムも本発明の範疇に入る。
【００５２】
本発明にかかる動画撮影装置は、上記課題を解決するために、撮影者が表示部に表示された動画を確認して撮影部の位置を手動で調節することにより動画を撮影し、通信網を介して該動画を動画再生装置に送信する動画撮影装置において、上記動画再生装置にて上記動画を閲覧する閲覧者が所望する、上記撮影部を動かす方向を示す方向制御情報を上記動画再生装置から取得する方向制御情報取得手段と、上記方向制御情報取得手段が取得した方向制御情報に基づいて、上記撮影部を動かすべき方向を特定する方向特定手段と、上記動画において上記方向特定手段が特定した方向に上記撮影部を動かすように撮影者に指示する操作指示情報を上記表示部に表示する操作指示出力手段とを備えていることを特徴としている。
【００５３】
上記構成によれば、まず、方向制御情報取得手段は、上記動画再生装置から、方向制御情報を取得する。方向制御情報とは、上記動画を閲覧する閲覧者が所望する上記撮影部を動かす方向を示す情報のことである。
【００５４】
次に、方向特定手段は、上記方向制御情報に基づいて、上記撮影部を動かすべき方向を特定する。続いて、操作指示出力手段は、上記動画を表示する際に、特定された方向を示す情報（例えば、矢印など）を上記表示部に表示する。
【００５５】
これにより、撮影者は、上記撮影部の位置を手動で調節して撮影を行う際、撮影部をどの方向に動かせばよいのか（閲覧者が望んでいるのか）を知ることが可能となる。
【００５６】
結果として、閲覧者の意図を撮影者が操作する撮影装置を介して該撮影者に伝達することが可能となるという効果を奏する。
【００５７】
本発明にかかる動画再生装置は、上記課題を解決するために、撮影者が表示部に表示された動画を確認して撮影部の位置を手動で調節することにより動画を撮影する動画撮影装置から、通信網を介して該動画を受信し再生する動画再生装置において、上記動画を閲覧する閲覧者によって操作部を介して入力された、該閲覧者が所望する上記撮影部を動かす方向の指定を受け付ける方向指示受付手段と、上記方向指示受付手段が受け付けた方向を特定する方向制御情報を生成する方向制御情報生成手段と、上記方向制御情報生成手段が生成した方向制御情報を上記動画撮影装置に送信する送信手段とを備えていることを特徴としている。
【００５８】
上記構成によれば、方向指示受付手段は、上記動画を閲覧する閲覧者から、該閲覧者が所望する上記撮影部を動かす方向の指定を受け付ける。続いて、方向制御情報生成手段は、受け付けた方向を特定するための方向制御情報を生成する。最後に、送信手段が、生成された方向制御情報を、上述した動画撮影装置に送信する。
【００５９】
これにより、閲覧者の意図を撮影者が操作する動画撮影装置を介して該撮影者に伝達することが可能となる。
【００６０】
上記動画撮影装置が撮影した動画を、上記動画再生装置に送信する動画配信システムも本発明の範疇に入る。
【００６１】
本発明にかかる動画撮影装置の制御方法は、上記課題を解決するために、撮影者が表示部に表示された動画を確認して撮影部の位置を手動で調節することにより動画を撮影し、通信網を介して該動画を動画再生装置に送信する動画撮影装置の制御方法であって、上記動画再生装置にて上記動画を閲覧する閲覧者が上記動画の中で着目する対象物を示す対象物指定情報を上記動画再生装置から取得する取得ステップと、上記動画において上記取得ステップにて取得された対象物指定情報が示す対象物を強調して上記表示部に表示する表示ステップとを含むことを特徴としている。
【００６２】
上記方法によれば、表示ステップにて、上記動画を表示する際に、取得された上記対象物指定情報が示す対象物を強調して、上記表示部に表示されるので、撮影者は、上記撮影部の位置を手動で調節して撮影を行う際、撮影中の動画を、該動画が含む上記対象物が強調表示された状態で確認することが可能となる。
【００６３】
したがって、撮影者は、動画の撮影中に、該動画の閲覧者が動画のどの部分に着目しているのかを知ることが可能となる。結果として、閲覧者の意図を撮影者が操作する撮影装置を介して該撮影者に伝達することが可能となるという効果を奏する。
【００６４】
本発明にかかる動画撮影装置の制御方法は、上記課題を解決するために、撮影者が表示部に表示された動画を確認して撮影部の位置を手動で調節することにより動画を撮影し、通信網を介して該動画を動画再生装置に送信する動画撮影装置の制御方法であって、上記動画再生装置にて上記動画を閲覧する閲覧者が所望する、上記撮影部を動かす方向を示す方向制御情報を上記動画再生装置から取得する取得ステップと、上記取得ステップにて取得した方向制御情報に基づいて、上記撮影部を動かすべき方向を特定する方向特定ステップと、上記動画において上記方向特定ステップにて特定された方向に上記撮影部を動かすように撮影者に指示する操作指示情報を上記表示部に表示する表示ステップとを含むことを特徴としている。
【００６５】
これにより、撮影者は、上記撮影部の位置を手動で調節して撮影を行う際、撮影部をどの方向に動かせばよいのか（閲覧者が望んでいるのか）を知ることが可能となる。
【００６６】
結果として、閲覧者の意図を撮影者が操作する撮影装置を介して該撮影者に伝達することが可能となるという効果を奏する。
【００６７】
本発明にかかる動画再生装置の制御方法は、上記課題を解決するために、撮影者が表示部に表示された動画を確認して撮影部の位置を手動で調節することにより動画を撮影する動画撮影装置から、通信網を介して該動画を受信し再生する動画再生装置の制御方法であって、上記動画を閲覧する閲覧者によって操作部を介して入力された、該閲覧者が上記動画の中で着目する対象物の指定を受け付ける受付ステップと、上記受付ステップにて受け付けられた対象物を特定する対象物指定情報を生成する生成ステップと、上記生成ステップにて生成された対象物指定情報を上記動画撮影装置に送信する送信ステップとを含むことを特徴としている。
【００６８】
これにより、閲覧者の意図を撮影者が操作する動画撮影装置を介して該撮影者に伝達することが可能となる。
【００６９】
本発明にかかる動画再生装置の制御方法は、上記課題を解決するために、撮影者が表示部に表示された動画を確認して撮影部の位置を手動で調節することにより動画を撮影する動画撮影装置から、通信網を介して該動画を受信し再生する動画再生装置の制御方法であって、上記動画を閲覧する閲覧者によって操作部を介して入力された、該閲覧者が所望する上記撮影部を動かす方向の指定を受け付ける受付ステップと、上記受付ステップにて受け付けられた方向を特定する方向制御情報を生成する生成ステップと、上記生成ステップにて生成された方向制御情報を上記動画撮影装置に送信する送信ステップとを含むことを特徴としている。
【００７０】
これにより、閲覧者の意図を撮影者が操作する動画撮影装置を介して該撮影者に伝達することが可能となる。
【００７１】
なお、上記動画撮影装置および上記動画再生装置は、コンピュータによって実現してもよく、この場合には、コンピュータを上記各手段として動作させることにより上記動画撮影装置または上記動画再生装置をコンピュータにて実現させる上記動画撮影装置または上記動画再生装置の制御プログラム、およびそれを記録したコンピュータ読み取り可能な記録媒体も、本発明の範疇に入る。
【発明の効果】
【００７２】
本発明にかかる動画撮影装置は、以上のように、上記動画再生装置にて上記動画を閲覧する閲覧者が上記動画の中で着目する対象物を示す対象物指定情報を上記動画再生装置から取得する対象物指定情報取得手段と、上記動画において上記対象物指定情報取得手段が取得した対象物指定情報が示す対象物を強調して上記表示部に表示する操作指示出力手段とを備えている。
【００７３】
あるいは、上記動画再生装置にて上記動画を閲覧する閲覧者が所望する、上記撮影部を動かす方向を示す方向制御情報を上記動画再生装置から取得する方向制御情報取得手段と、上記方向制御情報取得手段が取得した方向制御情報に基づいて、上記撮影部を動かすべき方向を特定する方向特定手段と、上記動画において上記方向特定手段が特定した方向に上記撮影部を動かすように撮影者に指示する操作指示情報を上記表示部に表示する操作指示出力手段とを備えている。
【００７４】
本発明にかかる動画再生装置は、以上のように、上記動画を閲覧する閲覧者によって操作部を介して入力された、該閲覧者が上記動画の中で着目する対象物の指定を受け付ける対象物受付手段と、上記対象物受付手段が受け付けた対象物を特定する対象物指定情報を生成する対象物指定情報生成手段と、上記対象物指定情報生成手段が生成した対象物指定情報を上記動画撮影装置に送信する送信手段とを備えている。
【００７５】
あるいは、上記動画を閲覧する閲覧者によって操作部を介して入力された、該閲覧者が所望する上記撮影部を動かす方向の指定を受け付ける方向指示受付手段と、上記方向指示受付手段が受け付けた方向を特定する方向制御情報を生成する方向制御情報生成手段と、上記方向制御情報生成手段が生成した方向制御情報を上記動画撮影装置に送信する送信手段とを備えている。
【００７６】
これにより、閲覧者の意図を撮影者が操作する撮影装置を介して該撮影者に伝達することが可能となるという効果を奏する。
【発明を実施するための最良の形態】
【００７７】
〔実施形態１〕
本発明の一実施形態について図面に基づいて説明すると以下の通りである。本実施形態では、一例として、本発明の動画撮影装置、および、動画再生装置をそれぞれ携帯電話に適用し、撮影者の携帯電話が撮影した動画を、動画配信サーバを介して、閲覧者の携帯電話に配信する動画配信システムについて説明する。
【００７８】
〔動画配信システムの概略〕
図２は、本発明の実施形態にかかる動画配信システム１００の概略構成を示す図である。図２に示すとおり、本発明の動画配信システム１００は、撮影者Ｓの携帯電話（動画撮影装置）１、閲覧者Ｒの携帯電話（動画再生装置）３、動画配信サーバ２、および、これらを通信可能の接続する通信網Ｗとを含む構成となっている。
【００７９】
通信網Ｗは、基地局を含む携帯電話網、インターネットなどとして実現されており、各携帯電話が通話やメール交換を行ったり、動画配信サーバ２との間で動画を送受信したりできるようになっている。
【００８０】
動画配信サーバ２は、携帯電話サービスの利用契約を結んだ各利用者の携帯電話との間で携帯電話により撮影された動画の送受信をストリーミング方式で行い、ライブ映像をリアルタイムで配信する動画配信サービスを提供するものである。例えば、撮影現場にいる撮影者Ｓが自身の携帯電話１を操作してライブ映像を取得すると、携帯電話１は、そのライブ映像を通信網Ｗを介して動画配信サーバ２に送信する。
【００８１】
動画配信サーバ２は、携帯電話１から受信したライブ映像を、当該ライブ映像の宛先である携帯電話３・・・に送信する。ライブ映像の宛先は、撮影者Ｓの携帯電話１から指定されても構わないし、動画配信サーバ２にあらかじめ設定されていてもよい。動画配信サーバ２は、携帯電話３から受け取ったライブ映像を、不特定多数の利用者の携帯電話に一斉に配信したり、特定の利用者の携帯電話にのみ上記ライブ映像を配信したりできる。
【００８２】
携帯電話３は、動画配信サーバ２から携帯電話１が撮影したライブ映像を受信し、再生する。これにより、閲覧者Ｒは、撮影者Ｓが携帯電話１を用いて撮影した動画をリアルタイムで閲覧することが可能となる。
【００８３】
さらに、本発明の動画配信システム１００では、閲覧者Ｒが、上記ライブ映像に含まれる目印となる対象物を指定することにより、閲覧者Ｒの意図を撮影者Ｓに伝達することができる。具体的には、閲覧者Ｒは、携帯電話３を操作して、再生されているライブ映像に含まれる対象物を指定する。そして、携帯電話３は、その指定した対象物を示す情報（以下、対象物指定情報）を、動画配信サーバ２を介して携帯電話１に送信する。これにより、ライブ映像中に、閲覧者Ｒが着目している対象物が何であるのかを、携帯電話１の操作者である撮影者Ｓに伝達することができる。撮影者Ｓは、受信した対象物指定情報に基づいて、閲覧者Ｒの見たい映像が得られるように携帯電話１を操作し撮影を続ければよい。
【００８４】
以下、閲覧者の意図を撮影者の携帯電話に伝達することが可能な動画配信システム１００の各装置についてより詳細に説明する。
【００８５】
〔携帯電話の概略構成〕
まず、撮影者Ｓや閲覧者Ｒが利用する携帯電話の概略構成について説明する。図３は、本発明の実施形態にかかる携帯電話１・携帯電話３の概略構成を示す図である。以下の説明では、携帯電話１の構成について説明するが、携帯電話３についても同様の構成を有するものとし、同じ説明は繰り返さない。
【００８６】
図３に示すとおり、携帯電話１は、アンテナ部１０、無線処理部１１、音声処理部１２、音声入力部１３、音声出力部１４、データ処理部１５、操作部１６、記憶部１７、表示部１８、動画撮影部１９、電源部２０、および、制御部２１（携帯電話３は制御部２４）を備える構成である。なお、携帯電話３は、専ら動画再生装置として機能し、動画撮影装置として機能しない場合には、動画撮影部１９を必ずしも備えていなくてもよい。
【００８７】
アンテナ部１０は、電波を外部に送り出すとともに外部から電波を受け取るためのものである。
【００８８】
無線処理部１１は、音声処理部１２またはデータ処理部１５から受信したデータを無線送信に適した形式に変換し、変換した無線信号をアンテナ部１０を介して外部に送信するものである。また、無線処理部１１は、外部からアンテナ部１０を介して受信した無線信号を元の形式に変換し、変換したデータを音声処理部１２またはデータ処理部１５に送信するものである。具体的には、無線処理部１１では、チャネルコーデック処理、ベースバンド信号処理、データの変復調処理、ＲＦ（Radio Frequency）処理などが行われる。
【００８９】
音声処理部１２は、音声入力部１３からの音声信号を所定の音声データに変換して無線処理部１１に送信するとともに、無線処理部１１からの音声データを音声信号に変換して音声出力部１４に送信するものである。具体的には、音声処理部１２は、Ａ／Ｄ変換器、Ｄ／Ａ変換器、アンプ、音声コーデック回路を備える構成である。
【００９０】
音声入力部１３は、外部から入力された音波を、電気信号である音声信号に変換して音声処理部１２に送信するものである。具体的には、音声入力部１３はマイクロホンを備える構成である。
【００９１】
音声出力部１４は、音声処理部１２からの音声信号を音波に変換して外部に出力するものである。具体的には、音声出力部１４は、スピーカ、イヤホン、音声出力用コネクタなどを備える構成である。
【００９２】
データ処理部１５は、制御部２１からのデータを所定形式のデータに符号化して無線処理部１１に送信するとともに、無線処理部１１からのデータを復号化して制御部２１に送信するものである。データ処理部１５で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００９３】
操作部１６は、携帯電話１の表面に設けられた十字キー、テンキーなどの入力デバイスをユーザが操作することにより、操作データを作成して制御部２１に送信するものである。入力デバイスとしては、ボタンスイッチの他にタッチパネルなどが挙げられる。
【００９４】
撮影者Ｓは、操作部１６の所定の操作ボタンを操作することにより、動画撮影部１９を起動して動画を撮影したり、その動画を送信したりすることができる。
【００９５】
一方、閲覧者Ｒは、操作部１６の所定の操作ボタンを操作することにより、再生中のライブ映像に関しての撮影意図を伝達するための情報を生成し、送信することができる。
【００９６】
記憶部１７は、各種データおよびプログラムを記憶するものである。記憶部１７の例としては、制御部２１が動作する際に必要なプログラム、通信制御データ等の固定データを記憶する読出し専用の半導体メモリであるＲＯＭ（Read Only Memory）と、バーコード認識や通信に関するデータ、ストリーミング配信されたライブ映像のデータ、演算に使用するデータ及び演算結果等を一時的に記憶するいわゆるワーキングメモリとしてのＲＡＭ（Random Access Memory）とが挙げられる。さらに、記憶部１７は、フラッシュメモリやＥＥＰＲＯＭなどのように書き換え可能な不揮発性メモリで実現される。そして、携帯電話１が備えるカメラにより撮像された写真データや、動画撮影部１９により撮影された動画、あるいは、動画配信サーバ２から配信された動画を録画した録画データを記憶しておいてもよい。
【００９７】
表示部１８は、記憶部１７に記憶される静止画、テキスト、動画などの各種データを表示するものである。例えば、表示部１８は、ＬＣＤの表示素子と表示すべきデータに基づいて表示素子を駆動するドライバ回路とを備えた表示パネルで構成される。
【００９８】
動画撮影部１９は、被写体の撮影を行って動画データを生成するものである。具体的には、動画撮影部１９は、被写体からの光を電気信号に変換するＣＣＤ（Charge Coupled Device）、ＣＭＯＳ（Complementary Metal-oxide Semiconductor）などの撮像素子と、撮像素子からの電気信号をＲＧＢ各色のデジタルデータに変換する映像処理回路とを備える構成が挙げられる。動画撮影部１９は、生成したデータを制御部２１に送信する。
【００９９】
電源部２０は、携帯電話１内の各種構成に適当な電力を供給するものである。電源部２０は、例えば、リチウムイオン電池などの充電可能な２次電池、電源回路などによって構成される。
【０１００】
制御部２１（制御部２４）は、携帯電話１（携帯電話３）内の各種構成を統括的に制御するものである。後述する各制御部の機能は、機能ブロックとして説明および図示されており、これらの機能ブロックは、例えばＲＡＭやフラッシュメモリなどの記憶装置に記憶されたプログラムをＣＰＵ（Central Processing Unit）が実行することによって実現される。
【０１０１】
〔携帯電話の要部構成〕
まず、撮影者Ｓの携帯電話１の構成について説明する。図１は、本実施形態にかかる撮影者Ｓの携帯電話１の要部構成を示す図である。図１に示すとおり、携帯電話１の制御部２１は、機能ブロックとしての、対象物指定情報取得部３０、対象物特定部３１、操作指示出力部３２、および、動画取得部３４を備える構成となっている。さらに、対象物追跡部３３、方向指示部３５および変化量算出部３６を備えていてもよい。記憶部１７は、対象物記憶部４０および動画記憶部４１を含む構成である。
【０１０２】
動画取得部３４は、動画撮影部１９が撮影して得た動画を取得するものである。動画取得部３４は、取得した動画をただちに表示部１８に出力し、ライブ映像として撮影者Ｓ自身が確認できるようになっている。一方、上記動画は、データ処理部１５にも伝達され、データ処理部１５によって適切な符号化が施されて、動画配信サーバ２に送信される。
【０１０３】
なお、撮影した動画をあとからでも再生できるように録画しておく場合には、動画取得部３４は、上記動画の録画データをタイムコードとともに動画記憶部４１に記憶してもよい。
【０１０４】
対象物指定情報取得部３０は、閲覧者Ｒの携帯電話３が送信した対象物指定情報を取得するものである。具体的には、動画配信サーバ２を介して上記対象物指定情報が携帯電話１に送信され、データ処理部１５が適切な復号を行ったのち、対象物指定情報を対象物指定情報取得部３０が取得する。
【０１０５】
対象物指定情報とは、ライブ映像に写っている目印となる特定の対象物を指定する情報であり、ライブ映像に関する閲覧者Ｒの意図を伝達するためのものである。対象物指定情報には、閲覧者Ｒがライブ映像の中で着目している対象物を特定するための情報が含まれている。
【０１０６】
本実施形態では、ライブ映像中で対象物を含む領域である対象物領域を特定するための座標情報を対象物指定情報として用いる。
【０１０７】
対象物特定部３１は、対象物指定情報取得部３０が取得した対象物指定情報に基づいて、ライブ映像中の対象物を特定するものである。
【０１０８】
具体的には、本実施形態では、上記ライブ映像における、上記座標情報が指定する領域を特定し、最新のフレームから上記領域の画像を切り出してそれを対象物として特定する。これにより、携帯電話１は、閲覧者Ｒがライブ映像中のどの対象物（領域）に着目しているのかを認識することが可能となる。
【０１０９】
対象物特定部３１が特定した対象物は、対象物記憶部４０に記憶される。
【０１１０】
操作指示出力部３２は、対象物特定部３１が特定した対象物（対象物領域）を指し示す情報を、上記ライブ映像とともに出力し、対象物を強調表示するものである。操作指示出力部３２は、対象物記憶部４０に記憶されている対象物が何であるかを撮影者Ｓが目視確認できるよう、該対象物を指し示す情報を上記ライブ映像とともに表示部１８に出力する。対象物を強調して表示する具体的な方法としては、対象物領域を囲う枠を表示したり、対象物領域を点滅表示させたり、対象物領域の色調を変化させたり、対象物領域の色を反転させたり、対象物を矢印で指し示したりすることなどが挙げられる。
【０１１１】
これにより撮影者Ｓは、表示部１８に表示された情報から、上記ライブ映像中のどの対象物に閲覧者Ｒが着目しているのかを知ることができ、撮影者Ｓは、着目されている対象物を基準にして閲覧者Ｒが希望する映像が得られるように、携帯電話１を操作して動画を撮影することが可能となる。つまり、対象物を指し示す情報とは、撮影者Ｓに対してどのように携帯電話１を操作して撮影を行うのかを指示する操作指示情報である。
【０１１２】
具体的には、対象物が指定されると該対象物がライブ映像の画面中央にくるように携帯電話１の向きを変更するというルールがあらかじめ閲覧者Ｒ−撮影者Ｓ間で定められているとする。
【０１１３】
操作指示出力部３２が表示部１８に対象物を指し示す情報（操作指示情報）を出力すると、撮影者Ｓはそれを確認し、ライブ映像中のどの対象物に閲覧者Ｒが着目しているのかを知ることができる。これにより、撮影者Ｓは、上記対象物が写る領域が画面中央にくるように携帯電話１の向きを変更することが可能となる。
【０１１４】
一方、閲覧者Ｒは、自身が指定した対象物が画面中央に写った状態のライブ映像を動画配信サーバ２を介して携帯電話１から取得することができ、結果として、携帯電話１を直接操作できない場合でも、撮影者Ｓに意図を伝達して所望のライブ映像を得ることが可能となる。
【０１１５】
対象物追跡部３３は、対象物特定部３１によって特定された対象物を、ライブ映像中にて追跡し、ライブ映像における対象物の座標位置を取得するものである。具体的には、対象物追跡部３３は、対象物記憶部４０に記憶されている対象物の画像と、上記ライブ映像とでマッチングを行い、一致する（類似度の高い）領域の座標位置を、上記対象物の現在位置として取得する。
【０１１６】
これにより、携帯電話１は、指定された対象物が、ライブ映像のどの位置に写っているのかを常に認識することが可能となる。具体的には、対象物追跡部３３が出力する対象物の座標位置に基づいて、操作指示出力部３２が、上記対象物を囲う枠や対象物を指し示す矢印などを操作指示情報として表示させる場合が挙げられる。操作指示出力部３２は、撮影者Ｓが変更する携帯電話１の向きに合わせて画面内で移動する対象物に追尾して、上記枠や矢印などを表示部１８に表示させることが可能となる。これにより、撮影者Ｓは、指定された対象物の位置を撮影中に見失うことがなくなる。
【０１１７】
さらに、対象物追跡部３３は、取得した対象物の座標位置を、動画取得部３４が取得した動画とともに携帯電話３に送信してもよい。これにより、閲覧者Ｒの携帯電話３においても対象物の座標位置を常に認識することが可能となる。
【０１１８】
〔座標情報〕
次に、対象物指定情報取得部３０が取得する座標情報について説明する。図４は、携帯電話３から送信される対象物指定情報としての座標情報の例を示す図である。図４に示すとおり、本実施形態では、座標情報は、表示部１８に表示されるライブ映像の表示サイズを特定する情報と、該ライブ映像における対象物領域を特定する情報とを含んでいる。
【０１１９】
具体的には、対象物領域を矩形で指定する場合には、表示サイズと、矩形の始点（矩形の左上端）、および、終点（矩形の右下端）の各ＸＹ座標とを含む座標情報Ｃ１が、対象物指定情報取得部３０によって取得される。
【０１２０】
あるいは、対象物領域を円形で指定する場合には、表示サイズ、円の中心のＸＹ座標、および、円の半径ｒを含む座標情報Ｃ２が、対象物指定情報取得部３０によって取得される。
【０１２１】
図４に示す座標情報Ｃ１（Ｃ２）が取得されると、対象物特定部３１は、図５に示すとおり、動画取得部３４が撮影する動画のうち最新のフレームＦ（静止画）を取得して、該フレームＦにおける、座標情報Ｃ１（Ｃ２）が示す領域を対象物領域Ａ１（Ａ２）として特定する。そして、対象物領域Ａ１（Ａ２）の画像を対象物記憶部４０に保存する。
【０１２２】
これにより、閲覧者Ｒが着目する対象物が特定される。
【０１２３】
なお、本実施形態では、上記座標情報にライブ映像の表示サイズが含まれているので、携帯電話１と携帯電話３とで異なる解像度でライブ映像が表示されているとしても、あるいは、各表示部１８が異なる解像度を有していても、表示サイズと、指定されたＸＹ座標との比率から常に正しい位置にて対象物領域が求まる。
【０１２４】
続いて、本実施形態における閲覧者Ｒの携帯電話３の要部構成を図１３に基づき説明する。なお、図１３において図１および図３と同じ符号が付されているブロックは、図１および図３にて説明したとおりであるのでここでは説明を繰り返さない。
【０１２５】
本実施形態にかかる携帯電話３において、制御部２４は、機能ブロックとしての動画再生部５４と、対象物指定情報生成部５６とを備える構成となっている。
【０１２６】
動画再生部５４は、データ処理部１５を介して、動画配信サーバ２から配信される携帯電話１によって撮影された動画を取得して、ライブ映像としてリアルタイムで再生するものである。なお、取得した動画を録画しておきたい場合には、動画再生部５４は、取得した動画を録画データとして動画記憶部４１に保存してもよい。
【０１２７】
対象物指定情報生成部５６は、操作部１６から入力される閲覧者Ｒの指示に応じて、対象物指定情報を生成するものである。
【０１２８】
より具体的には、表示部１８に表示されたライブ映像の１フレームから、閲覧者Ｒが操作部１６を操作して自身が着目する対象物を含むようにある領域を指定する。対象物指定情報生成部５６は、操作部１６から入力された、閲覧者Ｒが指定した領域を特定するための座標情報を生成する（例えば、図４の座標情報Ｃ１、Ｃ２など）。対象物指定情報生成部５６は、生成した対象物指定情報を、対象物指定情報記憶部４４に記憶するとともに、データ処理部１５を介して、動画配信サーバ２、携帯電話１へと送信する。
【０１２９】
これにより、閲覧者Ｒは、撮影者Ｓに対して上記ライブ映像に関する閲覧者Ｒの意図を伝達することが可能となる。
【０１３０】
〔動画配信サーバの要部構成〕
図６は、本実施形態にかかる動画配信サーバ２の要部構成を示すブロック図である。図６に示すとおり、動画配信サーバ２は、受信部２２、送信部２３、制御部２８、対象物指定情報記憶部４２、および、動画記憶部４３を備える構成となっている。
【０１３１】
受信部２２は、通信網Ｗを介して、撮影者Ｓの携帯電話１が撮影した動画を受信するとともに、閲覧者Ｒの携帯電話３から送信される対象物指定情報を受信するものである。
【０１３２】
送信部２３は、通信網Ｗを介して、上記動画を指定の宛先（例えば、閲覧者Ｒの携帯電話３）に送信するものである。また、対象物指定情報決定部５１が決定した対象物指定情報を携帯電話１に対して送信するものである。
【０１３３】
制御部２８は、動画配信サーバ２内の各種構成を統括的に制御するものであり、機能ブロックとしての対象物指定情報収集部５０、対象物指定情報決定部５１、および、動画配信部５２を備えている。さらに、ライブ認定部５３を備えていてもよい。
【０１３４】
対象物指定情報収集部５０は、携帯電話１から配信されたライブ映像の各閲覧者Ｒが所有する携帯電話３・・・から送信される各対象物指定情報を取得するものである。上記ライブ映像の閲覧者Ｒが、複数（不特定多数、あるいは、特定の閲覧者グループの数人）の場合、異なる閲覧者Ｒのさまざまな意図を反映した対象物指定情報が動画配信サーバ２に送信される。対象物指定情報収集部５０は、これらの対象物指定情報を集約し、送信元の携帯電話３ごとに対象物指定情報記憶部４２に保存する。
【０１３５】
対象物指定情報決定部５１は、対象物指定情報記憶部４２に集められた対象物指定情報から、所定の規則に基づいて、携帯電話１に送るべき一つの対象物指定情報を決定するものである。
【０１３６】
例えば、特定の閲覧者Ｒのみが対象物指定情報を決定するという規則が定められている場合には、対象物指定情報決定部５１は、その特定の閲覧者Ｒの携帯電話３から送信された対象物指定情報を、携帯電話１に送信すべき対象物指定情報として決定する。対象物指定情報決定部５１は、最終的に１つに決定した対象物指定情報を、送信部２３を介して携帯電話１に送信する。
【０１３７】
あるいは、ライブ映像を特定の閲覧者グループの数人（例えば、２〜３人程度）に配信するような動画配信システムの場合には、閲覧者Ｒごとに指定された対象物指定情報を受け付け、その複数の対象物指定情報を携帯電話１に送信すべき対象物指定情報として決定してもよい。
【０１３８】
決定した上記複数の対象物指定情報を、各閲覧者Ｒを識別する情報と関連付けて携帯電話１に送信すれば、携帯電話１は、閲覧者Ｒごとに対象物領域を特定することが可能となる。これにより、携帯電話１は、どの閲覧者Ｒが指定した対象物領域であるのかを分かるように、閲覧者Ｒの情報と合わせて複数の対象物領域を、表示部１８に表示することができる。
【０１３９】
あるいは、不特定多数の閲覧者Ｒからの各対象物指定情報に基づいて、統計的に一つの対象物指定情報を決定してもよい。例えば、各対象物指定情報にて最も重複の多かった領域を対象物領域として指定する対象物指定情報を新たに生成し、携帯電話１に送信してもよい。
【０１４０】
これにより、閲覧者Ｒが不特定多数の場合に、さまざまな対象物指定情報が各携帯電話３から送信される場合でも、適切に一つの対象物指定情報を決定して携帯電話１に伝達することができる。したがって、携帯電話１の撮影者Ｓは、あらゆる対象物指定情報に対してどのように撮影をおこなったらよいのか混乱することを防ぐことができる。
【０１４１】
動画配信部５２は、撮影者Ｓの携帯電話１から送信された動画をリアルタイムで取得して、指定された宛先の携帯電話３に該動画をストリーミング配信するものである。なお、後の配信要求に応えるために、取得した動画を動画記憶部４３に記憶してもよい。
【０１４２】
〔ライブ認定〕
動画配信サーバ２は、図６に示すとおり、さらに、ライブ認定部５３を備えていることが好ましい。
【０１４３】
ライブ認定部５３は、携帯電話１から提供された動画が、リアルタイムで配信されている動画、すなわちライブ映像であるか否かを判定し、閲覧者Ｒの携帯電話３に通知するものである。ライブ認定部５３は、対象物指定情報決定部５１が、携帯電話１に対して送信した、操作指示情報（対象物指定情報）の指示内容に合致した（＝閲覧者Ｒの所望する）動画が携帯電話１から得られたことを検知することによって、当該動画をライブ映像であると認定する。
【０１４４】
具体的に説明すると以下のとおりである。対象物が動画配信サーバ２により決定されると該対象物がライブ映像の中央にくるように携帯電話１の向きを変更するというルールがあらかじめ閲覧者Ｒ−動画配信サーバ２−撮影者Ｓ間で定められているとする。
【０１４５】
動画配信サーバ２が、図５に示す対象物領域Ａ２を指定する対象物指定情報を携帯電話１に送信したとする。携帯電話１の対象物追跡部３３は、上記対象物領域Ａ２を対象物として捉え、撮影者Ｓの動画撮影部１９の操作によってライブ映像内で移動する上記対象物を追尾する。携帯電話１は、ライブ映像とともに、対象物追跡部３３から得られた上記対象物の座標位置を動画配信サーバ２に送信する。
【０１４６】
動画配信サーバ２のライブ認定部５３は、対象物指定情報決定部５１が決定した対象物領域が中央（および中央付近）にきた場合の座標位置と、上記対象物追跡部３３から得られた対象物の座標位置とを比較する。これらの座標位置が一致（あるいは、所定範囲内で類似）していれば、上述のルールどおり、閲覧者Ｒが指定した対象物が画面中央にくるように撮影者Ｓが携帯電話１の向きを変えて撮影を行い、閲覧者Ｒが意図したライブ映像が得られたことになる。
【０１４７】
よって、ライブ認定部５３は、対象物指定情報決定部５１が決定した対象物が画面中央に捕捉されたことを検知して、配信中の当該動画がライブ映像であると判定する。ライブ認定部５３は、当該動画がライブ映像である旨の通知を、配信する動画とともに携帯電話３に対して送信する。
【０１４８】
これにより、携帯電話３は、動画配信サーバ２からストリーミング方式で受信し再生している動画がライブ映像であることを認識し、その通知を閲覧者Ｒに対して出力することが可能となる。
【０１４９】
従来、閲覧者から離れたところにある固定カメラに対して、閲覧者は、直接遠隔操作にて方向などを制御することができたので、操作したとおりの動画が即座に得られることにより、それがライブ映像であることを確認できた。
【０１５０】
しかし、本実施形態のように、撮影者Ｓが動画撮影部１９（カメラ）を備える携帯電話１を手に持って撮影する場合には、固定カメラのように閲覧者が直接制御することができないために、上述のような方法で現在再生中の動画がライブ映像であると確認することができなかった。
【０１５１】
上記構成によれば、閲覧者Ｒの意図を反映した対象物指定情報を携帯電話１に送信し、携帯電話１から閲覧者Ｒの意図に即した動画を取得したことを検知して、ライブ認定を行うことが可能となる。
【０１５２】
なお、ライブ認定を行うため構成は、上述したものに限定されない。例えば、携帯電話１の対象物追跡部３３を、動画配信サーバ２が備える構成としてもよいし、対象物追跡部３３および動画配信サーバ２のライブ認定部５３を携帯電話３が備える構成としてもよい。あるいは、ライブ認定部５３を携帯電話１が備える構成としてもよい。
【０１５３】
〔動画配信フロー１〕
図７は、動画配信システム１００における各装置の処理の流れを示すシーケンス図である。図８（ａ）〜（ｄ）は、携帯電話１または携帯電話３の表示部１８にライブ映像を表示するときの画面表示例を示す図である。各装置とは、動画撮影装置としての携帯電話１（図１）、動画配信サーバ２（図６）、および、動画再生装置としての携帯電話３（図１３）を指す。
【０１５４】
はじめに、撮影者Ｓが動画撮影部１９を起動し、動画撮影を開始すると、携帯電話１は動画取得部３４が取得した動画をリアルタイムで動画配信サーバ２に送信する（Ｓ１）。動画配信サーバ２の動画配信部５２は、携帯電話１から取得した動画を所定の宛先（ここでは、携帯電話３）に配信する（Ｓ２）。
【０１５５】
携帯電話３の動画再生部５４は、動画配信サーバ２から配信された動画をリアルタイムで再生し、例えば、図８（ａ）に示すとおり、表示部１８に表示して閲覧者Ｒにライブ映像を提供する。
【０１５６】
閲覧者Ｒは、上記ライブ映像を表示部１８にて確認し、自身が着目する（例えば、画面中央に写したいと希望する）対象物を指定する。具体的には、例えば、操作部１６の十字キーおよび決定キーを押下して、対象物を含む領域を選択したり、領域の始点と終点とを指定したりすることなどが挙げられる。
【０１５７】
このようにして、閲覧者Ｒによって操作部１６を介して対象物領域が指定されると、対象物指定情報生成部５６は、指定された対象物領域を特定する座標情報（図４）を生成する（Ｓ３）。携帯電話３は、生成された座標情報を動画配信サーバ２に送信する。
【０１５８】
続いて動画配信サーバ２の対象物指定情報収集部５０は、携帯電話３（および他の閲覧者の携帯電話）から対象物指定情報としての座標情報を収集する（Ｓ４）。そして、対象物指定情報決定部５１が、所定の規則に基づいて携帯電話１に送信する一つの座標情報を決定する（Ｓ５）。ここでは、閲覧者Ｒの携帯電話３から座標情報を採用するものとし、動画配信サーバ２は、携帯電話３から受信した、閲覧者Ｒのライブ映像に関する意図を反映した対象物指定情報（座標情報）を携帯電話１に送信する（Ｓ６）。
【０１５９】
続いて携帯電話１の対象物指定情報取得部３０は、動画配信サーバ２から送信された座標情報を取得する（Ｓ７）。対象物特定部３１は、上記座標情報に基づいて特定した領域を、閲覧者Ｒが着目する対象物を含む対象物領域として取得する（Ｓ８）。
【０１６０】
そして、操作指示出力部３２は、Ｓ８にて特定された対象物領域を指し示す情報を表示部１８に出力する（Ｓ９）。ここでは、具体的には、図８（ｂ）に示すとおり、上記対象物領域を囲う対象物指定枠９０を上記ライブ映像に重畳させて表示部１８に表示する。
【０１６１】
これにより、撮影者Ｓは、閲覧者Ｒがどの対象物に着目しているのかを知ることができ、当該対象物が画面中央に捕捉されるように携帯電話１の向きを動かして撮影を続行することができる（Ｓ１０）。
【０１６２】
ここで、本実施形態では、撮影の続行とともに、さらに、対象物追跡部３３が、特定された上記対象物領域を追尾する（Ｓ１１）。具体的には、対象物追跡部３３は、上記対象物領域のライブ映像における座標位置を取得する。
【０１６３】
携帯電話１は、Ｓ１０にて取得された動画とともに、Ｓ１１にて取得された対象物領域の座標位置を動画配信サーバ２に返す。
【０１６４】
そして、動画配信サーバ２のライブ認定部５３は、携帯電話１から取得した上記対象物領域の座標位置に基づいて、閲覧者Ｒが指定した対象物が中央（付近）に捕捉されたか否かを判定する（Ｓ１２）。
【０１６５】
対象物領域が中央付近に捕捉されていない間は（Ｓ１２においてＮＯ）、動画配信部５２は、Ｓ２と同様に、携帯電話１から受け取った動画を携帯電話３に対して配信する。
【０１６６】
一方、例えば図８（ｃ）に示すとおり、ライブ認定部５３が、対象物領域が中央付近に捕捉されたことを検知すると（Ｓ１２においてＹＥＳ）、ライブ認定部５３は、上記動画は上記対象物指定情報にしたがって閲覧者Ｒの意図が反映されたライブ映像であると認定する（Ｓ１３）。そして、動画配信部５２が携帯電話１からの動画を携帯電話３に配信するとともに、ライブ認定部５３が配信中の上記動画がライブ映像であることを通知する。
【０１６７】
続いて、携帯電話３では、ライブ映像である旨が通知されると、動画再生部５４が、図８（ｄ）に示すとおり、ライブ映像であることを示すアイコン９１をライブ映像とともに表示部１８に出力してもよい。これにより、携帯電話３の閲覧者Ｒは、自身の意図どおりに撮影されている動画を得ることができるとともに、そのことによって、当該動画がライブ映像であることを確認することができる。
【０１６８】
〔変形例〕
（方向制御）
携帯電話１は、上述した構成に加えて、方向指示部３５（図１）を備えていてもよい。
【０１６９】
方向指示部３５は、操作指示情報（対象物指定情報）に基づいて、対象物を画面の所定の位置（例えば、中央など）に捕捉するために、動画撮影部１９をどの向きに変更すべきかを決定するものである。方向指示部３５が決定した方向の情報は、操作指示出力部３２によって表示部１８に出力され、撮影者Ｓに伝達される。これにより、撮影者Ｓは、動画撮影部１９をどこに向けて撮影を行えばよいのかを知ることができる。
【０１７０】
具体例を挙げて説明すると以下のとおりである。例えば、図４に示すような対象物指定情報によってある対象物領域が特定され、上述したルールにしたがって、該対象物領域がライブ映像の中央に捕捉されるように動画撮影部１９の向きを変更する必要が生じたとする。
【０１７１】
方向指示部３５は、対象物領域が中央に捕捉された場合の目的の座標位置と、対象物追跡部３３が追尾して求めた対象物領域の現在の座標位置とを比較して、現在の座標位置を上記目的の座標位置に近づけるための動画撮影部１９の方向を求める。
【０１７２】
操作指示出力部３２は、方向指示部３５が求めた方向を示す情報（例えば、矢印など）を、ライブ映像とともに表示部１８に出力する。
【０１７３】
図９（ａ）〜（ｄ）は、携帯電話１の表示部１８に表示される、撮影方向に関する操作指示情報の画面表示例を示す図である。
【０１７４】
図９（ａ）に示すとおり、対象物領域が画面右上の破線枠内に特定された場合、方向指示部３５は、上記対象物領域を中央に捕捉するためには、右および上の方向に動画撮影部１９の向きを変更する必要があると判断する。方向指示部３５は、右方向および上方向のいずれか一方の情報を（ここでは、右方向）、操作指示出力部３２に伝達する。
【０１７５】
操作指示出力部３２は、方向指示部３５の指示に応じて、右方向を示す情報として、右方向を示す矢印９２を表示部１８に表示する。これにしたがって、撮影者Ｓは、動画撮影部１９の向きを右に動かし、図９（ｂ）に示すように、左右において中央に対象物を捕捉した動画を得ることができる。
【０１７６】
その後、方向指示部３５は、上方向の情報を操作指示出力部３２に伝達する。操作指示出力部３２は、方向指示部３５の指示に応じて、今度は上方向を示す矢印９２を表示部１８に表示する。これにしたがって、撮影者Ｓは、動画撮影部１９の向きを上に動かし、対象物を中央に捕捉した動画を得ることができる。
【０１７７】
さらに、方向指示部３５が指示する方向にしたがって動画撮影部１９の向きが適切に調整された（対象物が中央に捕捉された）場合は、方向指示部３５は、操作指示出力部３２を介して、いずれの方向にも動かす必要がないことを示す情報を表示部１８に出力してもよい。例えば、図９（ｃ）に示すとおり、「ＯＫ！」のアイコン９３を表示部１８に表示する。これにより、撮影者Ｓは、現在の方向を維持して撮影を続行すればよいことが分かる。
【０１７８】
なお、操作指示出力部３２が「ＯＫ！」のアイコン９３を出力するタイミングが、ライブ映像であると認定できるタイミングであるので、携帯電話１にライブ認定部５３を設け、上記のタイミングでライブ認定を行って、その旨を動画配信サーバ２に通知するようにしてもよい。
【０１７９】
また、上述の例では、矢印９２を上下左右の四方向にて表示する例について説明したが、これに限定されず、八方向で撮影方向を指示するようにしてもよい。
【０１８０】
（位置情報提供）
動画配信システム１００において、さらに、撮影者Ｓによって撮影が行われている撮影現場の位置情報を、ライブ映像の閲覧者Ｒの携帯電話３に提供することもできる。
【０１８１】
例えば、携帯電話１が、ＧＰＳ（Global Positioning System）機能を備えている場合には、携帯電話１は、動画を撮影するとともに位置情報を取得して、動画と位置情報とを関連付けて動画配信サーバ２に送信してもよい。
【０１８２】
また、携帯電話１から動画配信サーバ２へ動画が送信される際に経由する基地局の情報を動画配信サーバ２が取得して、動画と基地局情報とを携帯電話３に配信してもよい。
【０１８３】
〔実施形態２〕
上述の実施形態では、携帯電話３から携帯電話１へと閲覧者Ｒの意図を伝達する対象物指定情報として、対象物領域を特定するための座標情報を用いる例を説明した。本発明の動画配信システムでは、対象物指定情報にさらにタイムコードを含めることができる。
【０１８４】
タイムコードとは、動画が撮影された時間を示す情報であり、動画を形成するフレームごとに付与される。したがって、タイムコードを用いることにより、上記動画のうちのどのフレームかを特定することができるので、最新のフレームと過去のフレームとの対比によってより正確に対象物を特定したり、対象物を過去にさかのぼって指定したりすることが可能となる。
【０１８５】
図１０は、本実施形態にかかる対象物指定情報の一例を示す図である。図１０に示すとおり、本実施形態における対象物指定情報は、図４に示す座標情報に加えて、動画のフレームを特定するためのタイムコードを含んでいる。
【０１８６】
本実施形態では、撮影者Ｓの携帯電話１は、図１に示すとおり、さらに変化量算出部３６を備えている。
【０１８７】
変化量算出部３６は、取得した対象物指定情報に含まれるタイムコードに基づいて、携帯電話１が撮影して得た動画における、上記タイムコードによって特定されるフレームと、上記動画における最新のフレームとの変化量を求め、該変化量の大小を判定するものである。
【０１８８】
変化量とは、後の時点でのフレームが、前の時点でのフレームからどの程度変化しているのかを定量化したものである。なお、前後のフレームの比較は、周知の画像処理によってフレーム間の一致／不一致を判別することなどで実現可能である。
【０１８９】
変化量算出部３６が、対象物指定情報にて指定されたタイムコードのフレームと、最新のフレームとの間に大きな変化があると判断した場合、上記対象物指定情報に含まれる座標情報の領域が、閲覧者Ｒの意図どおりに正確に対象物を捉えていない虞がある。この場合、対象物特定部３１は、対象物を正しく特定できず、したがって、操作指示出力部３２が、閲覧者Ｒの意図どおりの動画を撮影するための操作指示情報を表示部１８に出力できないという問題が生じる。
【０１９０】
そこで、変化量算出部３６が上記フレーム間の変化量が大きいと判定した場合には、対象物指定情報取得部３０は、最新の対象物指定情報を再取得する。また、変化量が小さい場合には、実施形態１と同様に、対象物特定部３１が上記対象物指定情報に含まれる座標情報に基づいて対象物領域を特定する。
【０１９１】
これにより、ライブ映像の対象物が短時間に大きく移動する場合でも、より正確に対象物領域を特定することが可能となる。
【０１９２】
〔動画配信フロー２〕
図１１は、動画配信システム１００における各装置の処理の流れを示すシーケンス図である。図１２（ａ）〜（ｂ）は、携帯電話１または携帯電話３の表示部１８にライブ映像を表示するときの画面表示例を示す図である。
【０１９３】
図１１に示すＳ２１〜Ｓ２７は、以下の点を除いて実施形態１の図７に示すＳ１〜Ｓ７の処理と同様である。
【０１９４】
Ｓ２１にて携帯電話１が撮影した、ある時点ｔ（０）における最新のライブ映像ｔ（０）（図１２（ａ））が、携帯電話３に配信されると、携帯電話３の対象物指定情報生成部５６は、閲覧者Ｒが指定するフレームのタイムコードｔ（０）と、該フレームにおいて、閲覧者Ｒが着目する対象物９４の対象物領域Ａ３の座標情報０とを対象物指定情報として生成し、動画配信サーバ２に送信する（Ｓ２３）。
【０１９５】
携帯電話３の対象物指定情報取得部３０は、上記タイムコードｔ（０）および座標情報０を動画配信サーバ２から取得する（Ｓ２７）。
【０１９６】
続いて、変化量算出部３６は、現時点ｔ（１）における最新のライブ映像のフレームｔ（１）（図１２（ｂ）、（ｃ））と、対象物指定情報取得部３０が取得したタイムコードｔ（０）によって特定されるフレームｔ（０）（図１２（ａ））とを比較して変化量を求める（Ｓ２８）。
【０１９７】
各フレーム間の変化量が小さい場合には（Ｓ２８においてＮＯ）、対象物特定部３１は、図１２（ａ）における対象物領域Ａ３に基づいて対象物９４を特定し（Ｓ２９）、操作指示出力部３２が対象物９４を囲う対象物指定枠を表示部１８に出力する（Ｓ３０）。
【０１９８】
一方、変化量算出部３６が各フレーム間の変化量が大きいと判定すると（Ｓ２８においてＹＥＳ）、対象物指定情報取得部３０は、対象物指定情報を再送するよう動画配信サーバ２に対して要求する（Ｓ３１）。このとき、最新のライブ映像のフレームｔ（１）が動画配信サーバ２に対して送信される。
【０１９９】
Ｓ２２〜Ｓ２６の繰り返しによって（あるいは、動画配信サーバ２が対象物９４を追尾する機能を備えている場合には、動画配信サーバ２によって）、最新のフレームにおける対象物９４の対象物領域Ａ４（図１２（ｃ））が特定されると、動画配信サーバ２の対象物指定情報決定部５１は、最新の対象物指定情報、すなわち、タイムコードｔ（１）および対象物領域Ａ４の座標情報１を携帯電話１に再送する（Ｓ３２）。
【０２００】
これにより、携帯電話１は、対象物領域Ａ４にて対象物９４を正しく特定することが可能となる。
【０２０１】
携帯電話３が対象物指定情報を生成する時点のフレームと、携帯電話１が撮影している最新のフレームとの間に大きな変化がある場合（例えば、対象物９４が短時間に大きく移動する場合）、携帯電話１が変化量の判定を行わずに、対象物を特定しようとすると、図１２（ｂ）に示すような状態となる。
【０２０２】
すなわち、携帯電話１の対象物特定部３１は、対象物指定情報の座標情報０にしたがって、対象物領域Ａ３を特定するが、特定した時点で最新のフレームが大きく変化しているために、閲覧者Ｒが実際に着目する対象物９４を対象物領域Ａ３内に捕捉できない。このため、誤った対象物が特定されたり、対象物を特定できなかったりして、撮影者Ｓに対して正しい操作指示情報を出力することができないという問題を生じる。
【０２０３】
上記方法および構成によれば、変化量に応じて、対象物指定情報を再取得するべきか否かを判断することができるので、ライブ映像の対象物が短時間に大きく移動する場合でも、より正確に対象物領域を特定することが可能となる。
【０２０４】
〔変形例〕
ライブ映像の変化の大きさに対応する携帯電話１の構成として、変化量算出部３６の構成の代わりに以下のとおり構成することも可能である。
【０２０５】
携帯電話１の動画取得部３４（図１）は、動画撮影部１９が撮影した動画を、タイムコードと対応付けて動画記憶部４１に記憶する。
【０２０６】
対象物特定部３１は、対象物指定情報取得部３０が取得した対象物指定情報に基づいて、対象物指定情報に含まれるタイムコードと対応するフレームを動画記憶部４１から対応するフレームを取得する。そして、対象物特定部３１は、該フレームにおいて、上記対象物指定情報に含まれる座標情報から対象物領域を特定する。
【０２０７】
これにより、対象物指定情報が携帯電話１に伝達されるまでに、どれだけの長いライムラグが生じ、フレームの変化量が大きくなろうと、指定されたタイムコードと対応するフレームから対象物領域を特定するので、常に正しい対象物を特定することが可能となる。
【０２０８】
〔実施形態３〕
上述の実施形態では、対象物指定情報として座標情報（およびタイムコード）を用いる例を説明した。本発明の動画配信システムでは、座標情報（およびタイムコード）の代わりに、対象物を含む静止画を電子メールに添付し、それを対象物指定情報として携帯電話３から携帯電話１に伝達することが可能である。
【０２０９】
本実施形態にかかる動画配信システムでは、閲覧者Ｒは、携帯電話３の電子メール機能を用いて、自身が着目する対象物を含む静止画を電子メールに添付して、携帯電話１宛てに送信する。
【０２１０】
〔携帯電話の要部構成〕
まず、閲覧者Ｒの携帯電話３の構成について説明する。図１３は、本実施形態にかかる閲覧者Ｒの携帯電話３の要部構成を示す図である。図１３に示すとおり、携帯電話３の制御部２４は、機能ブロックとしての、動画再生部５４、画像処理部５５、および、対象物指定情報生成部５６を備える構成となっている。さらに、ライブ認定部５３を備えていてもよい。図１３の携帯電話３において実施形態１にて説明済みのブロックおよび図１の各ブロックと同じ符号のブロックについては、既述のとおりであるのでここでは説明を繰り返さない。
【０２１１】
画像処理部５５は、操作部１６から入力される閲覧者Ｒの指示に応じて、閲覧者Ｒが指定する対象物を指し示す静止画である対象物画像を生成するものである。
【０２１２】
具体的には、画像処理部５５は、動画再生部５４が再生した動画からフレーム（静止画）を切り出し、閲覧者Ｒが指定する領域を囲う対象物指定枠を上記フレームに重畳して、対象物画像を生成する。
【０２１３】
対象物指定情報生成部５６は、操作部１６から入力される閲覧者Ｒの指示に応じて、対象物指定情報を生成するものである。
【０２１４】
本実施形態では、対象物指定情報生成部５６は、画像処理部５５が生成した対象物画像を添付した電子メールを対象物指定情報として生成する。
【０２１５】
対象物指定情報生成部５６によって生成された対象物指定情報（電子メール）は、データ処理部１５を介して、携帯電話３宛てに送信される。
【０２１６】
次に、撮影者Ｓの携帯電話１の構成について図１に基づいて説明する。
【０２１７】
対象物指定情報取得部３０は、データ処理部１５を介して受信した電子メールに添付されている対象物画像を取得する。
【０２１８】
対象物特定部３１は、対象物指定情報取得部３０が取得した対象物画像から、対象物指定枠を画像認識し、該対象物指定枠によって囲われた領域を対象物領域として特定する。
対象物指定枠を検知するための画像認識機能は、周知の画像処理技術によって実現可能である。
【０２１９】
〔動画配信フロー３〕
図１４は、本実施形態にかかる動画配信システムにおける各装置の処理の流れを示すシーケンス図である。各装置とは、通信網Ｗを介して電子メールの送受信が可能な、動画撮影装置としての携帯電話１（図１）、および、動画再生装置としての携帯電話３（図１３）を指す。
【０２２０】
撮影者Ｓが動画撮影部１９を起動して動画撮影を開始すると、動画取得部３４は、取得した動画を携帯電話３に送信する（Ｓ４１）。携帯電話３の動画再生部５４は、携帯電話１から受信した動画をリアルタイムで再生する（Ｓ４２）。
【０２２１】
ここで、閲覧者Ｒが操作部１６を用いて対象物を指定する操作を行うと、画像処理部５５は、該操作に応じて、上記動画から１つのフレーム（静止画）を抽出する（Ｓ４３）。そして、上記閲覧者Ｒの操作に応じて、上記フレームにおいて閲覧者Ｒが指定する領域を囲う対象物指定枠を追加して対象物画像を生成する（Ｓ４４）。
【０２２２】
対象物指定情報生成部５６は、Ｓ４４にて生成された対象物画像を添付ファイルにした電子メールを生成し、携帯電話１宛てに送信する（Ｓ４５）。
【０２２３】
そして、携帯電話１は、携帯電話３から上記電子メールを受信すると、対象物指定情報取得部３０が、該電子メールに添付された対象物画像を取得する（Ｓ４６）。
【０２２４】
対象物特定部３１は、対象物指定情報取得部３０が取得した対象物画像に対して画像認識処理を実行し、追加された対象物指定枠を検出して、対象物領域を特定する（Ｓ４７）。続いて、操作指示出力部３２は、対象物特定部３１が特定した対象物領域を囲う対象物指定枠９０（図８（ｂ））を撮影中のライブ映像に重畳させて表示部１８に出力する（Ｓ４８）。
【０２２５】
これにより、撮影者Ｓは、ライブ映像中の、閲覧者Ｒが着目している対象物を知ることが可能となり、閲覧者Ｒの意図を反映した動画を得られるように撮影操作を続行することができる。
【０２２６】
なお、Ｓ４９〜Ｓ５２におけるライブ認定の処理の流れは、ライブ認定を携帯電話３が実行するという点を除いて、図７のＳ１０〜Ｓ１３と同様である。
【０２２７】
〔変形例〕
上述の説明では、携帯電話３の画像処理部５５が、指定されたフレームに対象物を囲う対象物指定枠を追加する画像処理を行う例について説明したが、これに限定されない。携帯電話１の対象物特定部３１が、対象物を特定することができる情報を持つ画像であればどのようなものでもよい。
【０２２８】
例えば、画像処理部５５が、閲覧者Ｒがフレームにおいて指定した対象物領域をトリミングし、そのトリミング画像を対象物画像としてもよい。
【０２２９】
この場合、対象物特定部３１は、マッチング処理を実行して、現在撮影中の動画の中から、上記トリミング画像と一致する部分を対象物領域として特定する。
【０２３０】
さらに、操作指示出力部３２は、対象物指定情報としての電子メールに添付された対象物画像を撮影者Ｓが確認できるよう、ライブ画像に重畳させて表示部１８に表示してもよい。
【０２３１】
図１５（ａ）〜（ｄ）は、携帯電話１の表示部１８に表示される対象物画像の表示画面例を示す図である。
【０２３２】
図１５（ａ）に示す例では、対象物領域を示すトリミング画像９５がライブ映像にスーパーインポーズして表示されている。さらに、携帯電話１は、トリミング画像９５と一致する部分を中央に補足したことを検知した時には、図９（ｃ）と同様にアイコン９３を表示してもよい。対象物指定情報取得部３０が取得した対象物画像が対象物指定枠をフレームに追加した画像である場合には、対象物特定部３１が、対象物指定枠を検出してその枠内をトリミングすればよい。
【０２３３】
図１５（ｂ）に示す例では、対象物領域を示す対象物指定枠がフレーム９６ごとライブ映像にスーパーインポーズして表示されている。さらに、携帯電話１は、フレーム９６内の対象物指定枠と一致する部分を中央に補足したことを検知した時には、図９（ｃ）と同様にアイコン９３を表示してもよい。対象物指定情報取得部３０が取得した対象物画像がトリミング画像である場合には、対象物特定部３１は、最新のフレームに対して上記トリミング画像と一致する部分に対象物指定枠を追加して、それを操作指示出力部３２に伝達すればよい。
【０２３４】
〔実施形態４〕
本発明の動画再生装置および動画撮影装置は、テレビ会議システムにも適用することが可能である。以下では、動画再生装置および動画撮影装置としてのＴＶ会議機能付き携帯電話を用いたＴＶ会議システムを例に挙げ説明する。本実施形態にかかるテレビ会議システムは、会議参加者Ａのテレビ会議機能付き携帯電話４Ａ、会議参加者Ｂのテレビ会議機能付き携帯電話４Ｂ（以下、単に携帯電話４Ａ、４Ｂと称する）、および、携帯電話４Ａと携帯電話４Ｂとを通信可能に接続する通信網Ｗを備える構成となっている。
【０２３５】
〔携帯電話の要部構成〕
図１６は、本発明の実施形態にかかる携帯電話４Ａ・携帯電話４Ｂの要部構成を示す図である。以下の説明では、携帯電話４Ａの構成について説明するが、携帯電話４Ｂについても同様の構成を有するものとし、同じ説明は繰り返さない。
【０２３６】
図１６に示すとおり、携帯電話４Ａの制御部２５は、動画撮影装置の機能ブロックとしての対象物指定情報取得部３０、対象物特定部３１、操作指示出力部３２、対象物追跡部３３、および、動画取得部３４を備えており、また、動画再生装置の機能ブロックとしてのライブ認定部５３、動画再生部５４、および、対象物指定情報生成部５６を備えている。
【０２３７】
なお、図１６において図１、図３、図６、および、図１３と同じ符号が付されているブロックは、既述したとおりであるのでここでは説明を繰り返さない。なお図１６には図示していないが、音声入力部１３を介して入力された音声は、動画撮影部１９によって撮影された動画とともに、データ処理部１５を介して通信相手の携帯電話に送信される。
【０２３８】
〔動画配信フロー４〕
図１７は、本実施形態にかかるＴＶ会議システムにおける各装置の処理の流れを示すシーケンス図である。各装置とは、携帯電話４Ａおよび携帯電話４Ｂ（図１６）を指す。しかし、これに限定されず、２人以上の会議参加者が参加するＴＶ会議システムにも本発明の動画撮影装置および動画再生装置を適用することができる。
【０２３９】
会議参加者Ａの携帯電話４Ａと、会議参加者Ｂの携帯電話４ＢとがＴＶ会議を実行するためのセッションを開始すると、各会議参加者は、自身を撮影する動画を相手の会議参加者に送信することができる。まず、会議参加者Ａが動画撮影部１９を用いて撮影し（Ｓ６１）、会議参加者Ａが写る動画（ライブ映像Ａ）を携帯電話４Ｂに送信する。
【０２４０】
携帯電話４Ｂは、携帯電話４Ａからライブ映像Ａを受信し（Ｓ６２）、動画再生部５４がライブ映像Ａを再生して表示部１８に表示する。会議参加者Ｂは、表示部１８に表示されたライブ映像Ａを確認し、操作部１６を用いて、自身が着目する（例えば、画面中央にもっていきたい）対象物を指定する。
【０２４１】
対象物指定情報生成部５６は、会議参加者Ｂが指定した対象物を含む対象物領域を取得して、ライブ映像Ａにおいて該対象物領域を特定するための座標情報（対象物指定情報Ａ）を生成する（Ｓ６３）。
【０２４２】
続いて、携帯電話４Ａの対象物指定情報取得部３０は、携帯電話４Ｂから上記対象物指定情報Ａを取得する（Ｓ６４）。対象物特定部３１は、対象物指定情報Ａに基づいてライブ映像Ａにおける対象物領域を特定する（Ｓ６５）。
【０２４３】
最後に操作指示出力部３２は、上記対象物領域を指し示す情報（対象物指定枠など）を操作指示情報として表示部１８に出力する（Ｓ６６）。
【０２４４】
これにより、会議参加者Ａは、上記操作指示情報にしたがって会議参加者Ｂの意図を反映した撮影操作を行うことができ、会議参加者Ｂが所望するライブ映像Ａを携帯電話４Ｂに送信することが可能となる。
【０２４５】
上述とは反対に、会議参加者Ｂの携帯電話４Ｂに対して、会議参加者Ａの意図を伝達する場合にも（Ｓ７１〜）、Ｓ６１〜Ｓ６６と同様の処理を繰り返す。
【０２４６】
なお、上述の各実施形態では、特定された対象物に対して実行する操作の例として、対象物を中央に捕捉するために撮影方向を変更する操作を挙げたがこれに限定されない。例えば、特定された対象物を拡大して撮影するズーム操作を行うとのルールが定められていてもよい。
【０２４７】
この場合は、対象物特定部３１が対象物を特定すると、該対象物が拡大表示されるように、対象物に合焦してズーム率を上げる旨の操作指示情報を操作指示出力部３２が出力する。そして、ライブ認定部５３は、対象物領域が画面を占める割合に応じて、閲覧者の意図どおりに拡大されたか否かを検知してライブ認定を行う。
【０２４８】
あるいは、特定された対象物がフレームアウトするように撮影方向を変更するとのルールが定められていてもよい。この場合、閲覧者は写したくない部分を対象物として指定することで、意図を撮影者に伝達することができる。
【０２４９】
〔実施形態５〕
上述の各実施形態では、ライブ映像についての閲覧者Ｒの意図（操作指示情報）を撮影者Ｓの携帯電話１に伝達するために、ライブ映像中の目印（対象物）を指定する対象物指定情報を携帯電話１に送信する例について説明した。本発明の動画配信システムでは、撮影者Ｓに意図を伝える操作指示情報として、撮影者Ｓに対して撮影方向を指示するための方向制御情報を対象物指定情報の代わりに送信することも可能である。
【０２５０】
本実施形態における動画配信システムにおいて、図２と異なる点は、閲覧者Ｒの携帯電話７が、動画配信サーバ６を介して、撮影者Ｓの携帯電話５宛てに、対象物指定情報ではなく方向制御情報を送信する点である。
【０２５１】
〔撮影者の携帯電話の要部構成〕
図１８は、本実施形態にかかる携帯電話５の要部構成を示す図である。図１８に示すとおり、撮影者Ｓの携帯電話５の制御部２６は、機能ブロックとしての方向制御情報取得部６０、方向特定部６１、操作指示出力部３２、および、動画取得部３４を備える構成となっている。
【０２５２】
方向制御情報取得部６０は、閲覧者Ｒの携帯電話７が送信した方向制御情報を取得するものである。具体的には、動画配信サーバ６を介して上記方向制御情報が携帯電話５に送信され、データ処理部１５が適切な復号を行ったのち、方向制御情報取得部６０が方向制御情報を取得する。
【０２５３】
方向制御情報とは、ライブ映像を撮影する動画撮影部１９の向きをどの方向に変更すればよいのかを示す撮影方向を指定する情報であり、ライブ映像に関する閲覧者Ｒの意図を伝達するためのものである。方向制御情報には、動画撮影部１９を上下左右のどの方向に動かせばよいのかを示す情報が少なくとも含まれている。方向制御情報は、さらに、斜めの４方向を加えた８方向を特定するための情報を含んでいてもよいし、ベクトルのように、方向と該方向にどの程度動かせばよいのかを示す長さとを含んでいてもよい。
【０２５４】
方向特定部６１は、方向制御情報取得部６０が取得した方向制御情報に基づいて、撮影者Ｓが変更すべき撮影方向を特定するものである。
【０２５５】
具体的には、例えば、図２０（ａ）に示す方向制御情報を方向制御情報取得部６０が取得したとすると、方向特定部６１は、上記方向制御情報に含まれる方向（ここでは、右方向）の情報に基づいて撮影方向を右と特定する。
【０２５６】
操作指示出力部３２は、現在撮影中のライブ映像に重畳させて、上記撮影方向が右であることが分かる情報を表示部１８に表示する。
【０２５７】
上記構成によれば、閲覧者Ｒが現在のライブ映像のもっと右の方を写してほしいと望む場合に、右方向に動画撮影部１９を動かすことを示す方向制御情報を携帯電話７から携帯電話５に対して送信する。
【０２５８】
撮影者Ｓの携帯電話５では、方向制御情報取得部６０が上記右方向の情報を含む方向制御情報を取得し、方向特定部６１が撮影方向を右と特定する。そして、撮影方向が右であることを示す操作指示情報を操作指示出力部３２が表示部１８に表示する。
【０２５９】
撮影者Ｓは、上記操作指示情報にしたがって、動画撮影部１９を右に動かし、右の方を写したライブ映像を携帯電話７に対して送信することが可能となる。
【０２６０】
これにより、閲覧者Ｒのライブ映像についての意図を撮影者Ｓに伝達し、閲覧者Ｒは、所望のライブ映像を得ることができる。
【０２６１】
〔閲覧者の携帯電話の要部構成〕
図１９は、本実施形態にかかる携帯電話７の要部構成を示す図である。図１９に示すとおり、閲覧者Ｒの携帯電話７の制御部２７は、機能ブロックとしての動画再生部５４、方向指示受付部５７、および、方向制御情報生成部５８を備えた構成となっている。
【０２６２】
方向指示受付部５７は、操作部１６を介して入力される、閲覧者Ｒが所望する方向への変更指示を受け付けるものである。例えば、閲覧者Ｒが、操作部１６の十字キーのうち、右方向キーを押下すると、方向指示受付部５７は、右方向の情報を受け付けて、方向制御情報を生成するよう方向制御情報生成部５８に指示する。
【０２６３】
方向制御情報生成部５８は、方向指示受付部５７の指示に応じて方向制御情報を生成するものである。例えば、方向指示受付部５７が右方向の情報を受け付けると、図２０（ａ）に示すとおり、右方向の情報を含む方向制御情報を生成する。方向指示受付部５７が生成した方向制御情報は、携帯電話５宛てに送信される。
【０２６４】
なお、方向制御情報生成部５８は、図２０（ｂ）に示すとおり、方向に加えて、該方向にどれだけ動かせばよいのかを示す長さの情報を含めて方向制御情報を生成してもよい。
【０２６５】
閲覧者Ｒからの長さの指定は、例えば、十字キーを連続で押下する回数や、長押しされた時間などに応じて方向指示受付部５７が受け付ける。
【０２６６】
方向制御情報生成部５８は、方向指示受付部５７が受け付けた十字キーの押下回数に応じて撮影方向の長さ（例えば、３００ピクセル）を特定し、図２０（ｂ）に示す方向制御情報を生成する。
【０２６７】
携帯電話５は、方向制御情報の方向および長さの情報に基づいて、３００ピクセル分右方向に動画撮影部１９を動かすように撮影者Ｓに対して指示する操作指示情報を表示部１８に出力する。操作指示情報の表示例としては、例えば、右方向の矢印のアイコンを、ライブ映像が３００ピクセル分右方向に移動するまで表示し続けるなどが挙げられる。
【０２６８】
これにより、撮影者Ｓは、動画撮影部１９をどの方向にどれだけ動かせばよいのかを知ることができ、閲覧者Ｒの意図どおりのライブ映像を撮影することが可能となる。
【０２６９】
さらに、携帯電話７がライブ認定部５３を備えている場合には、ライブ認定部５３は、携帯電話７が指定した方向に再生中の動画が動いたことを検知することによって、当該動画をライブ映像として認定することができる。
【０２７０】
〔動画配信フロー５〕
図２１は、本実施形態にかかる動画配信システムにおける各装置の処理の流れを示すシーケンス図である。各装置とは、各装置とは、動画撮影装置としての携帯電話５（図１８）、動画配信サーバ６、および、動画再生装置としての携帯電話７（図１９）を指す。
【０２７１】
まず、撮影者Ｓが動画撮影を開始すると、携帯電話５は、動画取得部３４が取得した動画をリアルタイムで動画配信サーバ６に送信する（Ｓ８１）。動画配信サーバ６の動画配信部５２（図６）は、携帯電話５から取得した動画を携帯電話５に配信する（Ｓ８２）。
【０２７２】
携帯電話７の動画再生部５４は、動画配信サーバ６から配信された動画を再生する。閲覧者Ｒは、上記ライブ映像を表示部１８にて確認し、動かしたい方向とその長さを指定する。具体的には、例えば、操作部１６の十字キーのいずれかの方向キーを押下して、また、押下回数に応じてその方向にどの程度動かしたいかを指定することなどが挙げられる。
【０２７３】
このようにして、閲覧者Ｒによって撮影方向が指定されると、方向指示受付部５７が受け付けた内容に応じて、方向制御情報生成部５８は、方向制御情報（図２０（ｂ））を生成する（Ｓ８３）。携帯電話７は、生成された方向制御情報を動画配信サーバ６に送信し、動画配信サーバ６は、携帯電話７から送信された方向制御情報を携帯電話５に送信する（Ｓ８４）。
【０２７４】
続いて携帯電話５の方向制御情報取得部６０は、上記方向制御情報を取得する（Ｓ８５）。方向特定部６１は、上記方向制御情報に含まれる方向および長さの情報に基づいて、動画撮影部１９をどの方向にどれだけ動かせばよいのかを特定する（Ｓ８６）。そして、操作指示出力部３２は、方向特定部６１が特定した内容どおりに動画撮影部１９を操作するように撮影者Ｓに対して指示するための操作指示情報を表示部１８に出力する。
【０２７５】
これにより、撮影者Ｓは、閲覧者Ｒの意図どおりに動画撮影部１９を操作して撮影を続行することができ、閲覧者Ｒは、所望のライブ映像を得ることができる。
【０２７６】
さらに、撮影が続行され（Ｓ８８）、動画配信サーバ６を介して所望の方向に動かされたライブ映像が配信されると（Ｓ８９）、携帯電話７のライブ認定部５３は、閲覧者Ｒが指定した方向に指定した分だけ動かれたライブ映像を検知して、ライブ認定を行うことができる（Ｓ９０）。
【０２７７】
図２２（ａ）〜（ｃ）は、撮影者Ｓの携帯電話５の表示部１８に表示される操作指示情報の表示画面例を示す図である。
【０２７８】
図２２（ａ）に示すとおり、操作指示出力部３２は、画面の４方向に表示された矢印のうち、閲覧者Ｒが意図する撮影方向の矢印のみを色付きで表示してもよい。図２２（ｂ）に示すとおり、操作指示出力部３２は、４方向を模式的に示すアイコンを画面の隅に重畳させて、一つの方向のみを色付きで表示してもよい。図２２（ｃ）に示すとおり、操作指示出力部３２は、４方向のいずれか一方を示す文字を画面の隅に重畳させてもよい。
【０２７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２８０】
最後に、携帯電話１（３、４Ａ、４Ｂ、５、７）の各ブロック、特に対象物指定情報取得部３０、操作指示出力部３２、対象物指定情報生成部５６、方向制御情報取得部６０、方向特定部６１、および、方向制御情報生成部５８は、ハードウェアロジックによって構成してもよいし、次のようにＣＰＵを用いてソフトウェアによって実現してもよい。
【０２８１】
すなわち、携帯電話１（３、４Ａ、４Ｂ、５、７）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話１（３、４Ａ、４Ｂ、５、７）の制御プログラムのプログラムコード（実行形式プログラム、中間コードプログラム、ソースプログラム）をコンピュータで読み取り可能に記録した記録媒体を、上記携帯電話１（３、４Ａ、４Ｂ、５、７）に供給し、そのコンピュータ（またはＣＰＵやＭＰＵ）が記録媒体に記録されているプログラムコードを読み出し実行することによっても、達成可能である。
【０２８２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２８３】
また、携帯電話１（３、４Ａ、４Ｂ、５、７）を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２８４】
本発明の動画撮影装置は、撮影者が表示部に表示された動画を確認して撮影部の位置を手動で調節することにより動画を撮影し、通信網を介して該動画を動画再生装置に送信する動画撮影装置に対して、好適に用いることができる。
【図面の簡単な説明】
【０２８５】
【図１】本発明の実施形態にかかる撮影者Ｓの携帯電話の要部構成を示す図である。
【図２】本発明の実施形態にかかる動画配信システムの概略構成を示す図である。
【図３】本発明の実施形態にかかる携帯電話の概略構成を示す図である。
【図４】閲覧者Ｒの携帯電話から送信される対象物指定情報としての座標情報の例を示す図である。
【図５】撮影者Ｓの携帯電話において座標情報に基づき特定される対象物領域の例を示す図である。
【図６】本発明の実施形態にかかる動画配信サーバの要部構成を示すブロック図である。
【図７】動画配信システムにおける各装置の処理の流れを示すシーケンス図である。
【図８】（ａ）〜（ｄ）は、表示部にライブ映像を表示するときの画面表示例を示す図である。
【図９】（ａ）〜（ｄ）は、撮影者Ｓの携帯電話の表示部に表示される、撮影方向に関する操作指示情報の画面表示例を示す図である。
【図１０】本発明の他の実施形態にかかる対象物指定情報の一例を示す図である。
【図１１】本発明の他の実施形態にかかる動画配信システムにおける各装置の処理の流れを示すシーケンス図である。
【図１２】（ａ）〜（ｂ）は、表示部にライブ映像を表示するときの他の画面表示例を示す図である。
【図１３】本発明の他の実施形態にかかる閲覧者Ｒの携帯電話の要部構成を示す図である。
【図１４】本発明の他の実施形態にかかる動画配信システムにおける各装置の処理の流れを示すシーケンス図である。
【図１５】（ａ）〜（ｄ）は、撮影者Ｓの携帯電話の表示部に表示される対象物画像の表示画面例を示す図である。
【図１６】本発明の他の実施形態にかかる携帯電話の要部構成を示す図である。
【図１７】本発明の他の実施形態にかかるＴＶ会議システムにおける各装置の処理の流れを示すシーケンス図である。
【図１８】本発明の他の実施形態にかかる撮影者Ｓの携帯電話の要部構成を示す図である。
【図１９】本発明の他の実施形態にかかる閲覧者Ｒの携帯電話の要部構成を示す図である。
【図２０】（ａ）および（ｂ）は、本発明の他の実施形態にかかる方向制御情報の一例を示す図である。
【図２１】本発明の他の実施形態にかかる動画配信システムにおける各装置の処理の流れを示すシーケンス図である。
【図２２】（ａ）〜（ｃ）は、撮影者Ｓの携帯電話の表示部に表示される操作指示情報の表示画面例を示す図である。
【符号の説明】
【０２８６】
１  携帯電話（動画撮影装置）
２  動画配信サーバ
３  携帯電話（動画再生装置）
４Ａ  テレビ会議機能付き携帯電話（動画撮影装置／動画再生装置）
４Ｂ  テレビ会議機能付き携帯電話（動画撮影装置／動画再生装置）
５  携帯電話（動画撮影装置）
６  動画配信サーバ
７  携帯電話（動画再生装置）
１０  アンテナ部（送信手段／通知手段）
１１  無線処理部（送信手段／通知手段）
１２  音声処理部
１３  音声入力部
１４  音声出力部
１５  データ処理部（送信手段／通知手段）
１６  操作部
１７  記憶部
１８  表示部
１９  動画撮影部（撮影部）
２０  電源部
２１  制御部
２２  受信部
２３  送信部
２４  制御部
２５  制御部
２６  制御部
２７  制御部
２８  制御部
３０  対象物指定情報取得部（対象物指定情報取得手段）
３１  対象物特定部
３２  操作指示出力部（操作指示出力手段）
３３  対象物追跡部（対象物追跡手段）
３４  動画取得部
３５  方向指示部（方向指示手段）
３６  変化量算出部（変化量算出手段）
４０  対象物記憶部
４１  動画記憶部
４２  対象物指定情報記憶部
４３  動画記憶部
４４  対象物指定情報記憶部
５０  対象物指定情報収集部
５１  対象物指定情報決定部
５２  動画配信部
５３  ライブ認定部（検知手段／通知手段）
５４  動画再生部
５５  画像処理部（対象物受付手段）
５６  対象物指定情報生成部（対象物指定情報生成手段）
５７  方向指示受付部（方向指示受付手段）
５８  方向制御情報生成部（方向制御情報生成手段）
６０  方向制御情報取得部（方向制御情報取得手段）
６１  方向特定部（方向特定手段）
１００  動画配信システム
【図１】
2008271149.tif 000003
【図２】
2008271149.tif 000004
【図３】
2008271149.tif 000005
【図４】
2008271149.tif 000006
【図５】
2008271149.tif 000007
【図６】
2008271149.tif 000008
【図７】
2008271149.tif 000009
【図８】
2008271149.tif 000010
【図９】
2008271149.tif 000011
【図１０】
2008271149.tif 000012
【図１１】
2008271149.tif 000013
【図１２】
2008271149.tif 000014
【図１３】
2008271149.tif 000015
【図１４】
2008271149.tif 000016
【図１５】
2008271149.tif 000017
【図１６】
2008271149.tif 000018
【図１７】
2008271149.tif 000019
【図１８】
2008271149.tif 000020
【図１９】
2008271149.tif 000021
【図２０】
2008271149.tif 000022
【図２１】
2008271149.tif 000023
【図２２】
2008271149.tif 000024